(57)【要約】【課題】基地局と、基地局と無線通信を行う端末と、基地局と端末との間の通信を中継する中継局と、を備える無線通信システムにおいて、端末や中継器にかかる負担を分散させて効率的な無線通信を行うことができる無線通信システムを提供する。【解決手段】基地局１１と、端末１５と、基地局１１と端末１５との間の無線通信を中継する中継器１３と、を備える無線通信システム１０００において、端末１５は、基地局１１とセルラー通信を行って基地局１から送信された端末受信パケットを受信するとともに中継器１３と無線ＬＡＮ通信を行い、中継器１３に対して基地局１１に送信するための端末送信パケットを送信させるよう構成されており、中継器１３は、端末１１と無線ＬＡＮ通信を行うとともに基地局１とセルラー通信を行い、端末１５から送信された端末送信パケットが受信された場合に、基地局１１に対して当該端末送信パケットを送信させるよう構成されている。【選択図】図１
2009188852.tif 000002
【特許請求の範囲】
【請求項１】
基地局と、前記基地局と無線通信を行う端末と、前記基地局と前記端末との間の無線通信を中継する中継器と、を備える無線通信システムにおいて、
前記端末は、
前記基地局から送信された端末受信パケットを受信する、当該基地局とセルラー通信を行うための端末側セルラー通信手段と、
前記中継器と無線ＬＡＮ（Local Area Network）通信を行うための端末側無線ＬＡＮ通信手段と、
前記端末側無線ＬＡＮ通信手段を制御して、前記中継器に対して、前記基地局に送信するための端末送信パケットを送信させる第１端末送信パケット送信制御手段と、を備え、
前記中継器は、
前記端末と無線ＬＡＮ通信を行うための中継器側無線ＬＡＮ通信手段と、
前記基地局とセルラー通信を行うための中継器側セルラー通信手段と、
前記端末側無線ＬＡＮ通信手段により送信された端末送信パケットが前記中継器側無線ＬＡＮ通信手段により受信された場合に、前記中継器側セルラー通信手段を制御して、前記基地局に対して、当該端末送信パケットを送信させる第２端末送信パケット送信制御手段と、を備えることを特徴とする無線通信システム。
【請求項２】
請求項１に記載の無線通信システムにおいて、
前記端末は、
前記端末側セルラー通信手段により受信された端末受信パケットの誤りを検出する検出手段と、
前記検出手段により端末受信パケットの誤りが検出された場合に、前記端末側無線ＬＡＮ通信手段を制御して、前記中継器に対して、当該端末受信パケットの送信を中継するよう要求する中継要求情報を送信させる中継要求情報送信制御手段と、を備え、
前記中継器側セルラー通信手段は、前記基地局から送信された前記端末受信パケットを受信し、
前記中継器は、前記端末側無線ＬＡＮ通信手段により送信された中継要求情報に基づいて、前記中継器側無線ＬＡＮ通信手段を制御して、前記端末に対して、前記中継器側セルラー通信手段により受信された端末受信パケットのうちの、当該中継要求情報に応じた端末受信パケットを送信させることによって、当該端末受信パケットの送信を中継する端末受信パケット中継手段を備えることを特徴とする無線通信システム。
【請求項３】
請求項１に記載の無線通信システムにおいて、
前記中継器側セルラー通信手段は、前記基地局から送信された前記端末受信パケットを受信し、
前記中継器は、前記中継器側無線ＬＡＮ通信手段を制御して、前記端末に対して、前記中継器側セルラー通信手段により受信された端末受信パケットを送信させることによって、当該端末受信パケットの送信を中継する端末受信パケット中継手段を備え、
前記端末は、
前記端末側セルラー通信手段により受信された端末受信パケットの誤りを検出する検出手段と、
前記検出手段により端末受信パケットの誤りが検出されなかった場合に、前記端末側無線ＬＡＮ通信手段を制御して、前記中継器に対して、当該端末受信パケットの送信の中継をキャンセルするよう要求する中継キャンセル要求情報を送信させる中継キャンセル要求情報送信制御手段と、を備え、
前記端末受信パケット中継手段は、前記端末側無線ＬＡＮ通信手段により送信された中継キャンセル要求情報に基づいて、前記端末受信パケットの送信の中継を中止することを特徴とする無線通信システム。
【請求項４】
請求項１〜３の何れか一項に記載の通信システムにおいて、
前記端末は、
前記基地局とセルラー通信が可能であるとともに、前記中継器と無線ＬＡＮ通信が可能である端末側通信手段と、
所定のタイミングで、前記端末側通信手段を、セルラー通信可能な状態と、無線ＬＡＮ通信可能な状態と、に切り替える端末側切替手段と、を備え、
前記端末側通信手段は、前記端末側切替手段によりセルラー通信可能な状態に切り替えられた場合に、前記端末側セルラー通信手段として機能し、前記端末側切替手段により無線ＬＡＮ通信可能な状態に切り替えられた場合に、前記端末側無線ＬＡＮ通信手段として機能することを特徴とする無線通信システム。
【請求項５】
請求項１〜４の何れか一項に記載の通信システムにおいて、
前記中継器は、
前記基地局とセルラー通信が可能であるとともに、前記端末と無線ＬＡＮ通信が可能である中継器側通信手段と、
所定のタイミングで、前記中継器側通信手段を、セルラー通信可能な状態と、無線ＬＡＮ通信可能な状態と、に切り替える中継器側切替手段と、を備え、
前記中継器側通信手段は、前記中継器側切替手段によりセルラー通信可能な状態に切り替えられた場合に、前記中継器側セルラー通信手段として機能し、前記中継器側切替手段により無線ＬＡＮ通信可能な状態に切り替えられた場合に、前記中継器側無線ＬＡＮ通信手段として機能することを特徴とする無線通信システム。
【請求項６】
請求項１〜５の何れか一項に記載の無線通信システムにおいて、
前記端末は、
前記基地局とのセルラー通信の状態に関する通信状態情報を取得する取得手段と、
前記端末側無線ＬＡＮ通信手段を制御して、前記中継器に対して、前記取得手段により取得された通信状態情報を送信させる通信状態情報送信制御手段と、を備え、
前記第２端末送信パケット送信制御手段は、前記端末側無線ＬＡＮ通信手段により送信された通信状態情報に基づいて、前記中継器側セルラー通信手段により前記基地局に対して送信される端末送信パケットの送信電力を制御し、
前記基地局は、前記中継器側セルラー通信手段により送信された端末送信パケットの送信電力に応じて、前記端末受信パケットの送信電力の制御及び／又は前記端末受信パケットを送信するサブキャリアの選択を行うことを特徴とする無線通信システム。
【請求項７】
請求項１〜５の何れか一項に記載の通信システムにおいて、
前記端末は、
前記基地局とのセルラー通信の状態に関する通信状態情報を取得する取得手段と、
前記端末側無線ＬＡＮ通信手段を制御して、前記中継器に対して、前記取得手段により取得された通信状態情報を送信させる第１通信状態情報送信制御手段と、を備え、
前記中継器は、前記中継器側セルラー通信手段を制御して、前記基地局に対して、前記端末側無線ＬＡＮ通信手段により送信された通信状態情報を送信させる第２通信状態情報送信制御手段を備え、
前記基地局は、前記中継器側セルラー通信手段により送信された通信状態情報に基づいて、前記端末受信パケットの送信電力の制御及び／又は前記端末受信パケットを送信するサブキャリアの選択を行うことを特徴とする無線通信システム。
【請求項８】
請求項１〜５の何れか一項に記載の通信システムにおいて、
前記端末は、
前記基地局とのセルラー通信の状態に関する通信状態情報を取得する取得手段と、
前記端末側無線ＬＡＮ通信手段を制御して、前記中継器に対して、前記取得手段により取得された通信状態情報を送信させる通信状態情報送信制御手段と、を備え、
前記中継器は、
前記端末側無線ＬＡＮ通信手段により送信された通信状態情報に基づいて、前記基地局における端末受信パケットの送信電力を決定する決定手段と、
前記中継器側セルラー通信手段を制御して、前記基地局に対して、前記決定手段により決定された送信電力に関する送信電力情報を送信させる送信電力情報送信制御手段と、を備え、
前記基地局は、前記中継器側セルラー通信手段により送信された送信電力情報に基づく送信電力で端末受信パケットが送信されるよう、前記端末受信パケットの送信電力の制御及び／又は前記端末受信パケットを送信するサブキャリアの選択を行うことを特徴とする無線通信システム。
【請求項９】
請求項１〜８の何れか一項に記載の無線通信システムにおいて、
前記セルラー通信は、ＷｉＭＡＸ（Worldwide Interoperability for Microwave Access）通信であり、
前記無線ＬＡＮ通信は、ＷｉＦｉ（Wireless Fidelity）通信であることを特徴とする無線通信システム。
【請求項１０】
基地局と、前記基地局と無線通信を行う端末と、前記基地局と前記端末との間の無線通信を中継する中継器と、を備える無線通信システムにおいて、
前記端末は、
前記基地局から送信された端末受信パケットを受信する、当該基地局とセルラー通信としてのＷｉＭＡＸ通信を行うための端末側セルラー通信手段と、
前記中継器と無線ＬＡＮ通信としてのＷｉＦｉ通信を行うための端末側無線ＬＡＮ通信手段と、
前記端末側無線ＬＡＮ通信手段を制御して、前記中継器に対して、前記基地局に送信するための端末送信パケットを送信させる第１端末送信パケット送信制御手段と、
前記端末側セルラー通信手段により受信された端末受信パケットの誤りを検出する検出手段と、
前記検出手段により端末受信パケットの誤りが検出された場合に、前記端末側無線ＬＡＮ通信手段を制御して、前記中継器に対して、当該端末受信パケットの送信を中継するよう要求する中継要求情報を送信させる中継要求情報送信制御手段と、を備え、
前記中継器は、
前記端末と無線ＬＡＮ通信としてのＷｉＦｉ通信を行うための中継器側無線ＬＡＮ通信手段と、
前記基地局とセルラー通信としてのＷｉＭＡＸ通信を行うための中継器側セルラー通信手段と、
前記端末側無線ＬＡＮ通信手段により送信された端末送信パケットが前記中継器側無線ＬＡＮ通信手段により受信された場合に、前記中継器側セルラー通信手段を制御して、前記基地局に対して、当該端末送信パケットを送信させる第２端末送信パケット送信制御手段と、
前記端末側無線ＬＡＮ通信手段により送信された中継要求情報に基づいて、前記中継器側無線ＬＡＮ通信手段を制御して、前記端末に対して、前記基地局から送信された端末受信パケットのうちの、当該中継要求情報に応じた端末受信パケットを送信させることによって、当該端末受信パケットの送信を中継する端末受信パケット中継手段と、を備えることを特徴とする無線通信システム。
【請求項１１】
基地局と、前記基地局と無線通信を行う端末と、前記基地局と前記端末との間の無線通信を中継する中継器と、を備える無線通信システムにおいて、
前記端末は、
前記基地局から送信された端末受信パケットを受信する、当該基地局とセルラー通信としてのＷｉＭＡＸ通信を行うための端末側セルラー通信手段と、
前記中継器と無線ＬＡＮ通信としてのＷｉＦｉ通信を行うための端末側無線ＬＡＮ通信手段と、
前記端末側無線ＬＡＮ通信手段を制御して、前記中継器に対して、前記基地局に送信するための端末送信パケットを送信させる第１端末送信パケット送信制御手段と、を備え、
前記中継器は、
前記端末と無線ＬＡＮ通信としてのＷｉＦｉ通信を行うための中継器側無線ＬＡＮ通信手段と、
前記基地局とセルラー通信としてのＷｉＭＡＸ通信を行うための中継器側セルラー通信手段と、
前記端末側無線ＬＡＮ通信手段により送信された端末送信パケットが前記中継器側無線ＬＡＮ通信手段により受信された場合に、前記中継器側セルラー通信手段を制御して、前記基地局に対して、当該端末送信パケットを送信させる第２端末送信パケット送信制御手段と、
前記中継器側無線ＬＡＮ通信手段を制御して、前記端末に対して、前記基地局から送信された端末受信パケットを送信させることによって、当該端末受信パケットの送信を中継する端末受信パケット中継手段と、を備え、
前記端末は、
前記端末側セルラー通信手段により受信された端末受信パケットの誤りを検出する検出手段と、
前記検出手段により端末受信パケットの誤りが検出されなかった場合に、前記端末側無線ＬＡＮ通信手段を制御して、前記中継器に対して、当該端末受信パケットの送信の中継をキャンセルするよう要求する中継キャンセル要求情報を送信させる中継キャンセル要求情報送信制御手段と、を備え、
前記端末受信パケット中継手段は、前記端末側無線ＬＡＮ通信手段により送信された中継キャンセル要求情報に基づいて、前記端末受信パケットの送信の中継を中止することを特徴とする無線通信システム。
【請求項１２】
請求項１〜１１の何れか一項に記載の無線通信システムにおいて、
前記端末は、前記中継器の機能を有し、
前記中継器は、前記端末の機能を有することを特徴とする無線通信システム。
【発明の詳細な説明】
【技術分野】
【０００１】
本発明は、無線通信システムに関する。
【背景技術】
【０００２】
従来、無線ＬＡＮ通信が可能な端末、基地局との間でセルラー通信が可能な端末が知られている。また、基地局との間でセルラー通信が不可能な端末であっても、その端末が無線ＬＡＮ通信可能であれば、基地局との間でセルラー通信が可能であるとともに端末との間で無線ＬＡＮ通信が可能な中継器を介して、基地局との間で通信が可能となることは知られている。
【０００３】
さらに、セルラー通信等の長距離無線通信や、無線ＬＡＮ通信等の短距離無線通信などの複数の通信が可能な端末も知られている（例えば、特許文献１〜４参照）。また、基地局などから入力される高周波信号をデジタルシグナルプロセッサーを用いて処理した後に中継することによって、高速通信を可能にする中継局（レピータ）なども提案されている（例えば、特許文献５参照）。
【特許文献１】特表２００７−５２７６４４号公報
【特許文献２】特開２００３−０４７０６４号公報
【特許文献３】ＷＯ２００３／０８４２７３号公報
【特許文献４】特開２００４−２４２０５８号公報
【特許文献５】特開２００３−２１９４６２号公報
【発明の開示】
【発明が解決しようとする課題】
【０００４】
しかしながら、セルラー通信が可能な端末や、特許文献１〜４記載のセルラー通信等の長距離無線通信や無線ＬＡＮ通信等の短距離無線通信などの複数の通信が可能な端末が、基地局との間でセルラー通信等の長距離無線通信を行う場合、無線ＬＡＮ通信等の短距離通信を行う場合と比較して、大きな送信電力が必要である等の理由から、端末に負担がかかるという問題がある。さらに、セルラー通信として、ＯＦＤＭＡ（Orthogonal Frequency Division Multiplexing Access）を利用するＷｉＭＡＸ通信を行うと、高いピーク電力が必要となり、端末の増幅器に負荷がかかり、端末に負担がかかるという問題がある。
また、中継器を介して端末が基地局との間で通信を行う場合、中継器は基地局とも端末とも通信しなければならない等の理由から、中継器に負担がかかるという問題がある。そして、この問題は、特許文献５記載の中継局のように、デジタルシグナルプロセッサーを用いて処理を行った後に中継を行うようにしても解決することはできない。
【０００５】
本発明の課題は、基地局と、基地局と無線通信を行う端末と、基地局と端末との間の通信を中継する中継局と、を備える無線通信システムにおいて、端末や中継器にかかる負担を分散させて効率的な無線通信を行うことができる無線通信システムを提供することにある。
【課題を解決するための手段】
【０００６】
上記課題を解決するために、請求項１に記載の発明は、
基地局と、前記基地局と無線通信を行う端末と、前記基地局と前記端末との間の無線通信を中継する中継器と、を備える無線通信システムにおいて、
前記端末は、
前記基地局から送信された端末受信パケットを受信する、当該基地局とセルラー通信を行うための端末側セルラー通信手段と、
前記中継器と無線ＬＡＮ（Local Area Network）通信を行うための端末側無線ＬＡＮ通信手段と、
前記端末側無線ＬＡＮ通信手段を制御して、前記中継器に対して、前記基地局に送信するための端末送信パケットを送信させる第１端末送信パケット送信制御手段と、を備え、
前記中継器は、
前記端末と無線ＬＡＮ通信を行うための中継器側無線ＬＡＮ通信手段と、
前記基地局とセルラー通信を行うための中継器側セルラー通信手段と、
前記端末側無線ＬＡＮ通信手段により送信された端末送信パケットが前記中継器側無線ＬＡＮ通信手段により受信された場合に、前記中継器側セルラー通信手段を制御して、前記基地局に対して、当該端末送信パケットを送信させる第２端末送信パケット送信制御手段と、を備えることを特徴とする。
【０００７】
請求項２に記載の発明は、
請求項１に記載の無線通信システムにおいて、
前記端末は、
前記端末側セルラー通信手段により受信された端末受信パケットの誤りを検出する検出手段と、
前記検出手段により端末受信パケットの誤りが検出された場合に、前記端末側無線ＬＡＮ通信手段を制御して、前記中継器に対して、当該端末受信パケットの送信を中継するよう要求する中継要求情報を送信させる中継要求情報送信制御手段と、を備え、
前記中継器側セルラー通信手段は、前記基地局から送信された前記端末受信パケットを受信し、
前記中継器は、前記端末側無線ＬＡＮ通信手段により送信された中継要求情報に基づいて、前記中継器側無線ＬＡＮ通信手段を制御して、前記端末に対して、前記中継器側セルラー通信手段により受信された端末受信パケットのうちの、当該中継要求情報に応じた端末受信パケットを送信させることによって、当該端末受信パケットの送信を中継する端末受信パケット中継手段を備えることを特徴とする。
【０００８】
請求項３に記載の発明は、
請求項１に記載の無線通信システムにおいて、
前記中継器側セルラー通信手段は、前記基地局から送信された前記端末受信パケットを受信し、
前記中継器は、前記中継器側無線ＬＡＮ通信手段を制御して、前記端末に対して、前記中継器側セルラー通信手段により受信された端末受信パケットを送信させることによって、当該端末受信パケットの送信を中継する端末受信パケット中継手段を備え、
前記端末は、
前記端末側セルラー通信手段により受信された端末受信パケットの誤りを検出する検出手段と、
前記検出手段により端末受信パケットの誤りが検出されなかった場合に、前記端末側無線ＬＡＮ通信手段を制御して、前記中継器に対して、当該端末受信パケットの送信の中継をキャンセルするよう要求する中継キャンセル要求情報を送信させる中継キャンセル要求情報送信制御手段と、を備え、
前記端末受信パケット中継手段は、前記端末側無線ＬＡＮ通信手段により送信された中継キャンセル要求情報に基づいて、前記端末受信パケットの送信の中継を中止することを特徴とする。
【０００９】
請求項４に記載の発明は、
請求項１〜３の何れか一項に記載の通信システムにおいて、
前記端末は、
前記基地局とセルラー通信が可能であるとともに、前記中継器と無線ＬＡＮ通信が可能である端末側通信手段と、
所定のタイミングで、前記端末側通信手段を、セルラー通信可能な状態と、無線ＬＡＮ通信可能な状態と、に切り替える端末側切替手段と、を備え、
前記端末側通信手段は、前記端末側切替手段によりセルラー通信可能な状態に切り替えられた場合に、前記端末側セルラー通信手段として機能し、前記端末側切替手段により無線ＬＡＮ通信可能な状態に切り替えられた場合に、前記端末側無線ＬＡＮ通信手段として機能することを特徴とする。
【００１０】
請求項５に記載の発明は、
請求項１〜４の何れか一項に記載の通信システムにおいて、
前記中継器は、
前記基地局とセルラー通信が可能であるとともに、前記端末と無線ＬＡＮ通信が可能である中継器側通信手段と、
前記所定のタイミングで、前記中継器側通信手段を、セルラー通信可能な状態と、無線ＬＡＮ通信可能な状態と、に切り替える中継器側切替手段と、を備え、
前記中継器側通信手段は、前記中継器側切替手段によりセルラー通信可能な状態に切り替えられた場合に、前記中継器側セルラー通信手段として機能し、前記中継器側切替手段により無線ＬＡＮ通信可能な状態に切り替えられた場合に、前記中継器側無線ＬＡＮ通信手段として機能することを特徴とする。
【００１１】
請求項６に記載の発明は、
請求項１〜５の何れか一項に記載の無線通信システムにおいて、
前記端末は、
前記基地局とのセルラー通信の状態に関する通信状態情報を取得する取得手段と、
前記端末側無線ＬＡＮ通信手段を制御して、前記中継器に対して、前記取得手段により取得された通信状態情報を送信させる通信状態情報送信制御手段と、を備え、
前記第２端末送信パケット送信制御手段は、前記端末側無線ＬＡＮ通信手段により送信された通信状態情報に基づいて、前記中継器側セルラー通信手段により前記基地局に対して送信される端末送信パケットの送信電力を制御し、
前記基地局は、前記中継器側セルラー通信手段により送信された端末送信パケットの送信電力に応じて、前記端末受信パケットの送信電力の制御及び／又は前記端末受信パケットを送信するサブキャリアの選択を行うことを特徴とする。
【００１２】
請求項７に記載の発明は、
請求項１〜５の何れか一項に記載の通信システムにおいて、
前記端末は、
前記基地局とのセルラー通信の状態に関する通信状態情報を取得する取得手段と、
前記端末側無線ＬＡＮ通信手段を制御して、前記中継器に対して、前記取得手段により取得された通信状態情報を送信させる第１通信状態情報送信制御手段と、を備え、
前記中継器は、前記中継器側セルラー通信手段を制御して、前記基地局に対して、前記端末側無線ＬＡＮ通信手段により送信された通信状態情報を送信させる第２通信状態情報送信制御手段を備え、
前記基地局は、前記中継器側セルラー通信手段により送信された通信状態情報に基づいて、前記端末受信パケットの送信電力の制御及び／又は前記端末受信パケットを送信するサブキャリアの選択を行うことを特徴とする。
【００１３】
請求項８に記載の発明は、
請求項１〜５の何れか一項に記載の通信システムにおいて、
前記端末は、
前記基地局とのセルラー通信の状態に関する通信状態情報を取得する取得手段と、
前記端末側無線ＬＡＮ通信手段を制御して、前記中継器に対して、前記取得手段により取得された通信状態情報を送信させる通信状態情報送信制御手段と、を備え、
前記中継器は、
前記端末側無線ＬＡＮ通信手段により送信された通信状態情報に基づいて、前記基地局における端末受信パケットの送信電力を決定する決定手段と、
前記中継器側セルラー通信手段を制御して、前記基地局に対して、前記決定手段により決定された送信電力に関する送信電力情報を送信させる送信電力情報送信制御手段と、を備え、
前記基地局は、前記中継器側セルラー通信手段により送信された送信電力情報に基づく送信電力で端末受信パケットが送信されるよう、前記端末受信パケットの送信電力の制御及び／又は前記端末受信パケットを送信するサブキャリアの選択を行うことを特徴とする。
【００１４】
請求項９に記載の発明は、
請求項１〜８の何れか一項に記載の無線通信システムにおいて、
前記セルラー通信は、ＷｉＭＡＸ（Worldwide Interoperability for Microwave Access）通信であり、
前記無線ＬＡＮ通信は、ＷｉＦｉ（Wireless Fidelity）通信であることを特徴とする。
【００１５】
請求項９に記載の発明は、
基地局と、前記基地局と無線通信を行う端末と、前記基地局と前記端末との間の無線通信を中継する中継器と、を備える無線通信システムにおいて、
前記端末は、
前記基地局から送信された端末受信パケットを受信する、当該基地局とセルラー通信としてのＷｉＭＡＸ通信を行うための端末側セルラー通信手段と、
前記中継器と無線ＬＡＮ通信としてのＷｉＦｉ通信を行うための端末側無線ＬＡＮ通信手段と、
前記端末側無線ＬＡＮ通信手段を制御して、前記中継器に対して、前記基地局に送信するための端末送信パケットを送信させる第１端末送信パケット送信制御手段と、
前記端末側セルラー通信手段により受信された端末受信パケットの誤りを検出する検出手段と、
前記検出手段により端末受信パケットの誤りが検出された場合に、前記端末側無線ＬＡＮ通信手段を制御して、前記中継器に対して、当該端末受信パケットの送信を中継するよう要求する中継要求情報を送信させる中継要求情報送信制御手段と、を備え、
前記中継器は、
前記端末と無線ＬＡＮ通信としてのＷｉＦｉ通信を行うための中継器側無線ＬＡＮ通信手段と、
前記基地局とセルラー通信としてのＷｉＭＡＸ通信を行うための中継器側セルラー通信手段と、
前記端末側無線ＬＡＮ通信手段により送信された端末送信パケットが前記中継器側無線ＬＡＮ通信手段により受信された場合に、前記中継器側セルラー通信手段を制御して、前記基地局に対して、当該端末送信パケットを送信させる第２端末送信パケット送信制御手段と、
前記端末側無線ＬＡＮ通信手段により送信された中継要求情報に基づいて、前記中継器側無線ＬＡＮ通信手段を制御して、前記端末に対して、前記基地局から送信された端末受信パケットのうちの、当該中継要求情報に応じた端末受信パケットを送信させることによって、当該端末受信パケットの送信を中継する端末受信パケット中継手段と、を備えることを特徴とする。
【００１６】
請求項１１に記載の発明は、
基地局と、前記基地局と無線通信を行う端末と、前記基地局と前記端末との間の無線通信を中継する中継器と、を備える無線通信システムにおいて、
前記端末は、
前記基地局から送信された端末受信パケットを受信する、当該基地局とセルラー通信としてのＷｉＭＡＸ通信を行うための端末側セルラー通信手段と、
前記中継器と無線ＬＡＮ通信としてのＷｉＦｉ通信を行うための端末側無線ＬＡＮ通信手段と、
前記端末側無線ＬＡＮ通信手段を制御して、前記中継器に対して、前記基地局に送信するための端末送信パケットを送信させる第１端末送信パケット送信制御手段と、を備え、
前記中継器は、
前記端末と無線ＬＡＮ通信としてのＷｉＦｉ通信を行うための中継器側無線ＬＡＮ通信手段と、
前記基地局とセルラー通信としてのＷｉＭＡＸ通信を行うための中継器側セルラー通信手段と、
前記端末側無線ＬＡＮ通信手段により送信された端末送信パケットが前記中継器側無線ＬＡＮ通信手段により受信された場合に、前記中継器側セルラー通信手段を制御して、前記基地局に対して、当該端末送信パケットを送信させる第２端末送信パケット送信制御手段と、
前記中継器側無線ＬＡＮ通信手段を制御して、前記端末に対して、前記基地局から送信された端末受信パケットを送信させることによって、当該端末受信パケットの送信を中継する端末受信パケット中継手段と、を備え、
前記端末は、
前記端末側セルラー通信手段により受信された端末受信パケットの誤りを検出する検出手段と、
前記検出手段により端末受信パケットの誤りが検出されなかった場合に、前記端末側無線ＬＡＮ通信手段を制御して、前記中継器に対して、当該端末受信パケットの送信の中継をキャンセルするよう要求する中継キャンセル要求情報を送信させる中継キャンセル要求情報送信制御手段と、を備え、
前記端末受信パケット中継手段は、前記端末側無線ＬＡＮ通信手段により送信された中継キャンセル要求情報に基づいて、前記端末受信パケットの送信の中継を中止することを特徴とする。
【００１７】
請求項１２に記載の発明は、
請求項１〜１１の何れか一項に記載の無線通信システムにおいて、
前記端末は、前記中継器の機能を有し、
前記中継器は、前記端末の機能を有することを特徴とする。
【発明の効果】
【００１８】
本発明によれば、基地局と、基地局と無線通信を行う端末と、基地局と端末との間の無線通信を中継する中継器と、を備える無線通信システムにおいて、端末は、基地局から送信された端末受信パケットを受信する、当該基地局とセルラー通信を行うための端末側セルラー通信手段と、中継器と無線ＬＡＮ通信を行うための端末側無線ＬＡＮ通信手段と、端末側無線ＬＡＮ通信手段を制御して、中継器に対して、基地局に送信するための端末送信パケットを送信させる第１端末送信パケット送信制御手段と、を備え、中継器は、端末と無線ＬＡＮ通信を行うための中継器側無線ＬＡＮ通信手段と、基地局とセルラー通信を行うための中継器側セルラー通信手段と、端末側無線ＬＡＮ通信手段により送信された端末送信パケットが中継器側無線ＬＡＮ通信手段により受信された場合に、中継器側セルラー通信手段を制御して、基地局に対して、当該端末送信パケットを送信させる第２端末送信パケット送信制御手段と、を備えている。
【００１９】
すなわち、端末は、基地局に送信するための端末送信パケットを、無線ＬＡＮ通信によって中継器に対して送信し、その中継器を介して基地局に対して送信するようになっているため、端末送信パケットをセルラー通信によって基地局に対して直接送信する場合と比較して、端末にかかる負担を軽減することができる。
また、中継器による、端末から基地局に対して送信される端末送信パケットの中継は必須であるが、基地局から端末に対して送信される端末受信パケットの中継は必須ではないため、端末と基地局との間の通信を全て中継する場合と比較して、中継器にかかる負担を軽減することができる。
したがって、端末と中継器の負担を分散させて効率的な無線通信を行うことができる。
【発明を実施するための最良の形態】
【００２０】
以下、図を参照して、本発明を実施するための最良の形態を詳細に説明する。なお、発明の範囲は、図示例に限定されない。
【００２１】
［第１の実施の形態］
まず、第１の実施の形態における無線通信システム１０００について説明する。
【００２２】
＜無線通信システムの構成＞
無線通信システム１０００は、例えば、屋内Ｄをサポートする無線ＬＡＮ（Local Area Network）システムと、無線ＬＡＮシステムがサポートするエリアよりも広いエリア（例えば、半径１０ｋｍ程度のエリア）をサポートするセルラーシステムと、により構成される。
具体的には、無線通信システム１０００は、例えば、図１に示すように、基地局１１と、基地局１１と無線通信を行う端末１５と、基地局１１と端末１５との間の無線通信を中継する中継器１３と、を備えている。無線通信システム１０００においては、基地局１１、端末１５及び中継器１３でセルラーシステムを構成し、端末１５及び中継器１３で無線ＬＡＮシステムを構成している。
【００２３】
無線通信システム１０００では、例えば、図１に示すように、基地局１１から端末１５及び中継器１３に対して、セルラー通信によってパケットが送信されるようになっている。また、中継器１３から基地局１１に対して、セルラー通信によってパケットが送信されるようになっている。また、端末１５と中継器１３との間で、無線ＬＡＮ通信によってパケットの送受信が行われるようになっている。
すなわち、無線通信システム１０００における基地局１１と端末１５との間の通信は、基地局１１から端末１５に対して送信される下り信号が、端末１５により直接受信され、端末１５から基地局１１に対して送信される上り信号が、中継器１３により中継される、上下非対称型の中継方式の通信となっている。
【００２４】
ここで、中継器１３は、例えば、基地局１１とのセルラー通信の状態が良好となる位置（例えば、屋内Ｄの窓際に近い位置）に配置されており、端末１５は、例えば、基地局１１とのセルラー通信の状態が中継器１３と同等となる位置又は中継器１３よりも悪い位置（例えば、屋内Ｄの窓際から遠い位置）に配置されていることとする。
【００２５】
セルラーシステムは、例えば、ＷｉＭＡＸ（Worldwide Interoperability for Microwave Access）技術を用いた無線通信システムであり、無線ＬＡＮシステムは、例えば、ＷｉＦｉ（Wireless Fidelity）技術を用いた無線通信システムである。
なお、セルラーシステムは、ＷｉＭＡＸ技術を用いた無線通信システムに限ることはなく、セルラーシステムを構成する基地局１１と端末１５との間でセルラー通信が行えるとともに、セルラーシステムを構成する基地局１１と中継器１３との間でセルラー通信が行える無線通信システムであれば任意であり、例えば、３．９Ｇセルラーなどの技術を用いた無線通信システムであっても良い。
また、無線ＬＡＮシステムは、ＷｉＦｉ技術を用いた無線通信システムに限ることはなく、無線ＬＡＮシステムを構成する端末１５と中継器１３との間で無線ＬＡＮ通信が行える無線通信システムであれば任意であり、例えば、ＵＷＢ（Ultra Wide Band）などの技術を用いた無線通信システムであっても良い。
【００２６】
（基地局）
基地局１１は、例えば、端末１５や中継器１３との間でＷｉＭＡＸ通信などのセルラー通信を行うセルラー基地局であり、例えば、図１に示すように、通信制御部１１１などを備えている。
具体的には、基地局１１は、例えば、端末１５に受信させたい端末受信パケットを送信したり、端末１５から送信された端末送信パケットを中継器１３を介して受信したりする。
【００２７】
ここで、端末受信パケットには、例えば、端末受信パケットを受信させたい端末１５を識別するための情報や、基地局１１を介して端末１５が通信する相手先を識別するための情報、通信内容に関する情報（映像情報や音声情報など）などが含まれている。
また、端末送信パケットには、例えば、端末送信パケットを送信する端末１５を識別するための情報や、基地局１１を介して端末１５が通信する相手先を識別するための情報、通信内容に関する情報（映像情報や音声情報など）などが含まれている。
【００２８】
なお、基地局１１は、例えば、受信したパケットの送信電力に応じて、送信するパケットの送信電力を制御するセルラー基地局であっても良いし、受信した通信状態情報に基づいて、送信するパケットの送信電力を制御するセルラー基地局であっても良いし、受信した送信電力情報に基づく送信電力でパケットが送信されるよう、送信するパケットの送信電力を制御するセルラー基地局であっても良い。
通信状態情報とは、例えば、基地局１１と端末１５との間の通信における端末１５側の受信状態に基づく情報であり、具体的には、例えば、基地局１１と端末１５との間の通信における端末１５側の受信感度に関する情報や、基地局１１と端末１５との間の通信品質に関する情報、基地局１１と端末１５との間の通信における端末１５側の受信電力レベルに関する情報などである。
【００２９】
基地局１１の通信制御部１１１は、基地局１１と、基地局１１に対して上り信号を送信する装置（本発明では中継器１３）と、の間の通信における当該装置側の受信状態に応じて、基地局から送信されるパケットの送信電力を制御するようになっている。
これに対し、本発明の無線通信システム１０００では、端末受信パケットの中継頻度を抑えるために、通信制御部１１１に、基地局１１と端末１５との間の通信における端末１５側の受信状態に応じて、基地局１１から送信されるパケットの送信電力を制御させるようにする。
【００３０】
ここで、基地局１１と端末１５との間の通信における端末１５側の受信状態は、基地局１１からの距離や障害物の有無などによって異なる。
したがって、本発明の無線通信システム１０００では、例えば、基地局１１からの距離が遠い等の理由によって、端末１５側の受信状態が所定の許容範囲を下回る場合（受信状態が悪い場合）には、基地局１１から送信されるパケットの送信電力を、前回の送信電力（受信状態が所定の許容範囲を下回ると判断されたパケットを送信したときの送信電力）よりも高くして、受信状態を改善させるようにする。
【００３１】
具体的には、中継器１３は、例えば、基地局１１が、受信したパケットの送信電力に応じて送信するパケットの送信電力を制御するセルラー基地局である場合、通信状態情報（基地局１１と端末１５との間の通信における端末１５側の受信状態に基づく情報）に基づいて、基地局１１に対して送信するパケットの送信電力を制御するようになっている。
また、中継器１３は、例えば、基地局１１が、受信した通信状態情報に基づいて送信するパケットの送信電力を制御するセルラー基地局である場合、通信状態情報（基地局１１と端末１５との間の通信における端末１５側の受信状態に基づく情報）を、基地局１１に対して送信するようになっている。
また、中継器１３は、例えば、基地局１１が、受信した送信電力情報に基づく送信電力でパケットが送信されるよう送信するパケットの送信電力を制御するセルラー基地局である場合、通信状態情報（基地局１１と端末１５との間の通信における端末１５側の受信状態に基づく情報）に基づいて送信電力を決定し、その決定した送信電力に関する送信電力情報（送信電力の値など）を基地局１１に対して送信するようになっている。
【００３２】
（中継器）
中継器１３は、例えば、基地局１１との間でＷｉＭＡＸ通信などのセルラー通信を行うとともに、端末１５との間でＷｉＦｉ通信などの無線ＬＡＮ通信を行う、セルラー／無線ＬＡＮ中継器である。
具体的には、中継器１３は、例えば、基地局１１から送信された端末受信パケットを受信して、端末１５から要求がある場合に当該端末受信パケットを端末１５に対して送信したり、端末１５から送信された端末送信パケットを受信して基地局１１に対して送信したりする。
【００３３】
中継器１３としては、例えば、屋内Ｄの壁面などに設けられたコンセントから電源を引き込むことができる電源接続可能な固定型の装置が好ましいが、端末１５と基地局１１との間の通信を中継できる装置であれば任意であり、例えば、モバイルルータなどの携帯型の装置であっても良い。
ここで、図２に、中継器１３の機能的構成を示すブロック図を示し、図３に、中継器１３における処理及びデータ（パケット）の流れを示す図を示す。
【００３４】
具体的には、中継器１３は、例えば、図２に示すように、セルラー送受分離部１３１と、セルラー受信部１３２と、セルラー受信用復調部１３３と、メモリ部１３４と、ＬＡＮ送信用再変調部１３５と、ＬＡＮ送信部１３６と、ＬＡＮ送受分離部１３７と、ＬＡＮ受信部１３８と、ＬＡＮ受信用復調部１３９と、セルラー送信用再変調部１４０と、セルラー送信部１４１と、制御部１４２と、などを備えて構成される。
【００３５】
セルラー送受分離部１３１は、例えば、セルラー通信用アンテナ１３１ａを有しており、基地局１１との間でセルラー通信をして、例えば、図３に示す「セルラー送受分離」を行う。
具体的には、セルラー送受分離部１３１は、例えば、制御部１４２から入力される制御信号に従って、基地局１１から送信された端末受信パケットを受信してセルラー受信部１３２に出力するとともに、セルラー送信部１４１から入力された端末送信パケットを基地局１１に対して送信する。
ここで、基地局１１から送信された端末受信パケットは、セルラー通信用に変調されている。
【００３６】
セルラー受信部１３２は、例えば、図３に示す「セルラー受信」を行う。
具体的には、セルラー受信部１３２は、例えば、制御部１４２から入力される制御信号に従って、セルラー送受分離部１３１から入力された端末受信パケットをセルラー受信用復調部１３３に出力する。
より具体的には、制御部１４２は、例えば、中継器１３と無線ＬＡＮ通信可能な端末１５を判別し、セルラー送受分離部１３１からセルラー受信部１３２に入力されたパケットが、中継器１３と無線ＬＡＮ通信可能な端末１５宛てのパケットである場合に、セルラー受信部１３２に制御信号を入力して、当該パケットをセルラー受信用復調部１３３に出力させるようになっている。
【００３７】
セルラー受信用復調部１３３は、例えば、図３に示す「第１復調」を行う。
具体的には、セルラー受信用復調部３３は、例えば、制御部１４２から入力される制御信号に従って、セルラー受信部１３２から入力された端末受信パケット（セルラー通信用に変調されている端末受信パケット）を復調してメモリ部１３４に出力する。
【００３８】
メモリ部１３４は、例えば、図３に示す「パケット保存」を行う。
具体的には、メモリ部１３４は、例えば、制御部１４２から入力される制御信号に従って、セルラー受信用復調部１３３から入力された端末受信パケットを保存する。
【００３９】
ＬＡＮ送信用再変調部１３５は、例えば、図３に示す「第１再変調」を行う。
具体的には、ＬＡＮ送信用再変調部１３５は、例えば、制御部１４２から入力される制御信号に従って、制御部１４２がメモリ部１３４から取得した端末受信パケットを、無線ＬＡＮ通信用に変調してＬＡＮ送信部１３６に出力する。
ここで、端末１５から中継要求があった場合に、制御部１４２は、端末受信パケットをメモリ部１３４から取得する。
【００４０】
ＬＡＮ送信部１３６は、例えば、図３に示す「無線ＬＡＮ送信」を行う。
具体的には、ＬＡＮ送信部１３６は、例えば、制御部１４２から入力される制御信号に従って、ＬＡＮ送信用再変調部１３５から入力された端末受信パケットをＬＡＮ送受分離部１３７に出力する。
【００４１】
ＬＡＮ送受分離部１３７は、例えば、無線ＬＡＮ通信用アンテナ１３７ａを有しており、端末１５との間で無線ＬＡＮ通信をして、例えば、図３に示す「無線ＬＡＮ送受分離」を行う。
具体的には、ＬＡＮ送受分離部１３７は、例えば、制御部１４２から入力される制御信号に従って、ＬＡＮ送信部１３６から入力された端末受信パケットを端末１５に対して送信するとともに、端末１５から送信されたパケット（中継要求パケット又は端末送信パケット）を受信してＬＡＮ受信部１３８に出力する。
ここで、端末１５から送信されたパケット（中継要求パケット又は端末送信パケット）は、無線ＬＡＮ通信用に変調されている。
【００４２】
ＬＡＮ受信部１３８は、例えば、図３に示す「無線ＬＡＮ受信」を行う。
具体的には、ＬＡＮ受信部１３８は、例えば、制御部１４２から入力される制御信号に従って、ＬＡＮ送受分離部１３７から入力されたパケット（中継要求パケット又は端末送信パケット）をＬＡＮ受信用復調部１３９に出力する。
【００４３】
なお、端末１５と無線ＬＡＮ通信を行うための中継器側無線ＬＡＮ通信手段は、例えば、ＬＡＮ送信部１３６と、ＬＡＮ送受分離部１３７と、ＬＡＮ受信部１３８と、からなる。
【００４４】
ＬＡＮ受信用復調部１３９は、例えば、図３に示す「第２復調」を行う。
具体的には、ＬＡＮ受信用復調部１３９は、例えば、制御部１４２から入力される制御信号に従って、ＬＡＮ受信部１３８から入力されたパケット（無線ＬＡＮ通信用に変調されている中継要求パケット又は端末送信パケット）を復調し、ＬＡＮ受信部１３８から入力されたパケットが端末送信パケットである場合はセルラー送信用再変調部１４０に出力する。
より具体的には、制御部１４２は、例えば、ＬＡＮ受信用復調部１３９により復調されたパケットが、中継要求パケットであるか端末送信パケットであるかを判別し、端末送信パケットであると判別した場合に、ＬＡＮ受信用復調部１３９に制御信号を入力して、当該端末送信パケットをセルラー送信用再変調部１４０に出力させるようになっている。
【００４５】
セルラー送信用再変調部１４０は、例えば、図３に示す「第２再変調」を行う。
具体的には、セルラー送信用再変調部１４０は、例えば、制御部１４２から入力される制御信号に従って、ＬＡＮ受信用復調部１３９から入力された端末送信パケットを、セルラー通信用に変調してセルラー送信部１４１に出力する。
【００４６】
セルラー送信部１４１は、例えば、図３に示す「セルラー送信」を行う。
具体的には、セルラー送信部１４１は、例えば、制御部１４２から入力される制御信号に従って、セルラー送信用再変調部１４０から入力された端末送信パケットをセルラー送受分離部１３１に出力する。
【００４７】
なお、基地局１１とセルラー通信を行うための中継器側セルラー通信手段は、例えば、セルラー送信部１４１と、セルラー送受分離部１３１と、セルラー受信部１３２と、からなる。
【００４８】
制御部１４２は、例えば、図２に示すように、ＣＰＵ（Central Processing Unit）１４２１と、ＲＡＭ（Random Access Memory）１４２２と、計時部１４２３と、記憶部１４２４と、などを備えて構成される。
【００４９】
ＣＰＵ１４２１は、例えば、記憶部１４２４に記憶された中継器１３用の各種処理プログラムに従って各種の制御動作を行う。
【００５０】
ＲＡＭ１４２２は、例えば、ＣＰＵ１４２１によって実行される処理プログラムなどを展開するためのプログラム格納領域や、入力データや上記処理プログラムが実行される際に生じる処理結果などを格納するデータ格納領域などを備える。
【００５１】
計時部１４２３は、例えば、ＣＰＵ１４２１から入力される制御信号に従って、所与の計時処理を行う。
【００５２】
記憶部１４２４は、例えば、中継器１３で実行可能なシステムプログラム、当該システムプログラムで実行可能な各種処理プログラム、これら各種処理プログラムを実行する際に使用されるデータ、ＣＰＵ１４２１によって演算処理された処理結果のデータなどを記憶する。なお、プログラムは、コンピュータが読み取り可能なプログラムコードの形で記憶部１４２４に記憶されている。
【００５３】
具体的には、記憶部１４２４は、例えば、図２に示すように、保存パケット消去プログラム１４２４ａと、端末受信パケット中継プログラム１４２４ｂと、第２端末送信パケット送信制御プログラム１４２４ｃと、第２通信状態情報送信制御プログラム１４２４ｄと、決定プログラム１４２４ｅと、送信電力情報送信制御プログラム１４２４ｆと、などを記憶している。
【００５４】
保存パケット消去プログラム１４２４ａは、例えば、メモリ部１３４に保存されている端末受信パケットのうち、メモリ部１３４に保存された期間が一定期間を経過したものを、メモリ部１３４から消去する機能を、ＣＰＵ１４２１に実現させる。
ここで、一定期間は、今後、その端末受信パケットの送信の中継は要求されない、と確実に判断できる期間であれば任意である。
【００５５】
端末受信パケット中継プログラム１４２４ｂは、例えば、端末１５から送信された中継要求情報としての中継要求パケットに基づいて、ＬＡＮ送信部１３６及びＬＡＮ送受分離部１３７を制御して、端末１５に対して、基地局１１から送信されてセルラー送受分離部１３１及びセルラー受信部１３２により受信された端末受信パケットのうちの、当該中継要求パケットに応じた端末受信パケットを送信させることによって、当該端末受信パケットの送信を中継する機能を、ＣＰＵ１４２１に実現させる。
【００５６】
具体的には、ＣＰＵ１４２１は、例えば、ＬＡＮ受信用復調部１３９により復調されたパケットが、中継要求パケットであるか端末送信パケットであるかを判別する。
そして、ＣＰＵ１４２１は、例えば、ＬＡＮ受信用復調部１３９により復調されたパケットが端末送信パケットであると判別した場合に、ＬＡＮ受信用復調部１３９に制御信号を入力して、当該端末送信パケットをセルラー送信用再変調部１４０に出力させる。
一方、ＣＰＵ１４２１は、例えば、ＬＡＮ受信用復調部１３９により復調されたパケットが中継要求パケットであると判別した場合に、当該中継要求パケットを解読することによって図３に示す「中継要求チェック」を行い、当該中継要求パケットに応じた端末受信パケットをメモリ部１３４から取得して、ＬＡＮ送信用再変調部１３５に出力し、端末１５に対して送信させる。
ＣＰＵ１４２１は、かかる端末受信パケット中継プログラム１４２４ｂを実行することによって、端末受信パケット中継手段として機能する。
【００５７】
第２端末送信パケット送信制御プログラム１４２４ｃは、例えば、端末１５から送信された端末送信パケットがＬＡＮ送受分離部１３７及びＬＡＮ受信部１３８により受信された場合に、セルラー送信部１４１及びセルラー送受分離部１３１を制御して、基地局１１に対して、当該端末送信パケットを送信させる機能を、ＣＰＵ１４２１に実現させる。
【００５８】
具体的には、例えば、端末受信パケット中継プログラム１４２４ｂを実行したＣＰＵ１４２１によって、ＬＡＮ受信用復調部１３９により復調されたパケットが端末送信パケットであると判別された場合に、当該端末送信パケットを、基地局１１に対して送信させる。
【００５９】
ここで、ＣＰＵ１４２１は、例えば、基地局１１が、中継器１３から送信された端末送信パケットの送信電力に応じて、端末受信パケットの送信電力を制御するセルラー基地局である場合、端末１５から送信された通信状態情報に基づいて、セルラー送信部１４１及びセルラー送受分離部１３１により基地局１１に対して送信される端末送信パケットの送信電力を制御するようになっている。
【００６０】
具体的には、ＣＰＵ１４２１は、例えば、端末１５から送信された通信状態情報に基づいて、基地局１１と端末１５との間の通信における端末１５側の受信状態が悪いと判断した場合は、基地局１１に対して送信される端末送信パケットの送信電力が低くなるよう制御する。これにより、基地局１１から送信される端末受信パケットの送信電力は、基地局１１の通信制御部１１１によって、前回の送信電力よりも高くなるよう制御される。
ＣＰＵ１４２１は、かかる第２端末送信パケット送信制御プログラム１４２４ｃを実行することによって、第２端末送信パケット送信制御手段として機能する。
【００６１】
第２通信状態情報送信制御プログラム１４２４ｄは、例えば、セルラー送信部１４１及びセルラー送受分離部１３１を制御して、基地局１１に対して、端末１５から送信された通信状態情報を送信させる機能を、ＣＰＵ１４２１に実現させる。
【００６２】
具体的には、ＣＰＵ１４２１は、例えば、基地局１１が、中継器１３から送信された通信状態情報に基づいて、端末受信パケットの送信電力を制御するセルラー基地局である場合、端末１５から送信された通信状態情報を基地局１１に対して送信させるようになっている。
そして、基地局１１の通信制御部１１１は、例えば、中継器１３から送信された通信状態情報に基づいて、基地局１１と端末１５との間の通信における端末１５側の受信状態が悪いと判断した場合は、基地局１１から送信される端末受信パケットの送信電力を前回の送信電力よりも高くなるよう制御する。
ＣＰＵ１４２１は、かかる第２通信状態情報送信制御プログラム１４２４ｄを実行することによって、第２通信状態情報送信制御手段として機能する。
【００６３】
決定プログラム１４２４ｅは、例えば、端末１５から送信された通信状態情報に基づいて、基地局１１における端末受信パケットの送信電力を決定する機能を、ＣＰＵ１４２１に実現させる。
【００６４】
具体的には、ＣＰＵ１４２１は、例えば、端末１５から送信された通信状態情報に基づいて、基地局１１と端末１５との間の通信における端末１５側の受信状態が悪いと判断した場合は、基地局１１における端末受信パケットの送信電力として、前回の送信電力よりも高い送信電力を決定する。
ＣＰＵ１４２１は、かかる決定プログラム１４２４ｅを実行することによって、決定手段として機能する。
【００６５】
送信電力情報送信制御プログラム１４２４ｆは、例えば、セルラー送信部１４１及びセルラー送受分離部１３１を制御して、基地局１１に対して、決定プログラム１４２４ｅを実行したＣＰＵ１４２１により決定された送信電力に関する送信電力情報を送信させる機能を、ＣＰＵ１４２１に実現させる。これにより、基地局１１から送信される端末受信パケットの送信電力は、基地局１１の通信制御部１１１によって、当該送信された送信電力情報に基づく送信電力となるよう制御される。
ＣＰＵ１４２１は、かかる送信電力情報送信制御プログラム１４２４ｆを実行することによって、送信電力情報送信制御手段として機能する。
【００６６】
（端末）
端末１５は、例えば、基地局１１との間でＷｉＭＡＸ通信などのセルラー通信を行うとともに、中継器１３との間でＷｉＦｉ通信などの無線ＬＡＮ通信を行う、セルラー／無線ＬＡＮ端末である。
具体的には、端末１５は、例えば、基地局１１から送信された端末受信パケットを受信したり、基地局１１に受信させたい端末送信パケットを中継器１３を介して基地局１１に対して送信したりする。
【００６７】
端末１５としては、携帯型の装置が好ましいが、基地局１１と通信できる装置であれば任意であり、例えば、固定型の装置であっても良い。
端末１５は、例えば、図１及び図４に示すように、入力された所定のパケットを再生する再生装置１７を接続している。なお、端末１５と再生装置１７は、別体的に構成されていても良いし、一体的に構成されていても良い。再生装置１７と一体的に構成されている場合、端末１５としては、例えば、携帯電話機などが挙げられる。
ここで、図４に、端末１５の機能的構成を示すブロック図を示し、図５に、端末１５における処理及びデータ（パケット）の流れを示す図を示す。
【００６８】
具体的には、端末１５は、例えば、図４に示すように、セルラー送受分離部１５１と、セルラー受信部１５２と、セルラー受信用復調部１５３と、ＬＡＮ送信用変調部１５４と、ＬＡＮ送信部１５５と、ＬＡＮ送受分離部１５６と、ＬＡＮ受信部１５７と、ＬＡＮ受信用復調部１５８と、出力部１５９と、制御部１６０と、などを備えて構成される。
【００６９】
セルラー送受分離部１５１は、例えば、セルラー通信用アンテナ１５１ａを有しており、基地局１１との間でセルラー通信をして、例えば、図５に示す「セルラー送受分離」を行う。
具体的には、セルラー送受分離部１５１は、例えば、制御部１６０から入力される制御信号に従って、基地局１１から送信された端末受信パケットを受信してセルラー受信部１５２に出力する。
ここで、基地局１１から送信された端末受信パケットは、セルラー通信用に変調されている。
【００７０】
セルラー受信部１５２は、例えば、図５に示す「セルラー受信」を行う。
具体的には、セルラー受信部１５２は、例えば、制御部１６０から入力される制御信号に従って、セルラー送受分離部１５１から入力された端末受信パケットをセルラー受信用復調部１５３に出力する。
より具体的には、制御部１６０は、例えば、セルラー送受分離部１５１からセルラー受信部１５２に入力されたパケットが、端末１５宛てのパケットである場合に、セルラー受信部１５２に制御信号を入力して、当該パケットをセルラー受信用復調部１５３に出力させるようになっている。
【００７１】
なお、基地局１１から送信された端末受信パケットを受信する、基地局１１とセルラー通信を行うための端末側セルラー通信手段は、例えば、セルラー送受分離部１５１と、セルラー受信部１５２と、からなる。
【００７２】
セルラー受信用復調部１５３は、例えば、図５に示す「第１復調」を行う。
具体的には、セルラー受信用復調部１５３は、例えば、制御部１６０から入力される制御信号に従って、セルラー受信部１５２から入力された端末受信パケット（セルラー通信用に変調されている端末受信パケット）を復調する。
【００７３】
ＬＡＮ送信用変調部１５４は、例えば、図５に示す「第１変調」及び「第２変調」を行う。
具体的には、ＬＡＮ送信用変調部１５４は、例えば、制御部１６０から入力される制御信号に従って、制御部１６０が作成した中継要求パケットや端末送信パケットを、無線ＬＡＮ通信用に変調してＬＡＮ送信部１５５に出力する。
【００７４】
ＬＡＮ送信部１５５は、例えば、図５に示す「無線ＬＡＮ送信」を行う。
具体的には、ＬＡＮ送信部１５５は、例えば、制御部１６０から入力される制御信号に従って、ＬＡＮ送信用変調部１５４から入力された中継要求パケット又は端末送信パケットをＬＡＮ送受分離部１５６に出力する。
【００７５】
ＬＡＮ送受分離部１５６は、例えば、無線ＬＡＮ通信用アンテナ１５６ａを有しており、中継器１３との間で無線ＬＡＮ通信をして、例えば、図５に示す「無線ＬＡＮ送受分離」を行う。
具体的には、ＬＡＮ送受分離部１５６は、例えば、制御部１６０から入力される制御信号に従って、ＬＡＮ送信部１５５から入力された中継要求パケット又は端末送信パケットを中継器１３に対して送信するとともに、中継器１３から送信された端末受信パケットを受信してＬＡＮ受信部１５７に出力する。
ここで、中継器１３から送信された端末受信パケットは、無線ＬＡＮ通信用に変調されている。
【００７６】
ＬＡＮ受信部１５７は、例えば、図５に示す「無線ＬＡＮ受信」を行う。
具体的には、ＬＡＮ受信部１５７は、例えば、制御部１６０から入力される制御信号に従って、ＬＡＮ送受分離部１５６から入力された端末受信パケットをＬＡＮ受信用復調部１５８に出力する。
【００７７】
なお、中継器１３と無線ＬＡＮ通信を行うための端末側無線ＬＡＮ通信手段は、例えば、ＬＡＮ送信部１５５と、ＬＡＮ送受分離部１５６と、ＬＡＮ受信部１５７と、からなる。
【００７８】
ＬＡＮ受信用復調部１５８は、例えば、図５に示す「第２復調」を行う。
具体的には、ＬＡＮ受信用復調部１５８は、例えば、制御部１６０から入力される制御信号に従って、ＬＡＮ受信部１５７から入力された端末受信パケット（無線ＬＡＮ通信用に変調されている端末受信パケット）を復調する。
【００７９】
出力部１５９は、例えば、再生装置１７と接続するためのインターフェースを備えており、例えば、図５に示す「出力」を行う。
具体的には、出力部１５９は、例えば、制御部１６０から入力される制御信号に従って、端末１５により受信された端末受信パケットを再生装置１７に対して出力する。
【００８０】
再生装置１７は、例えば、端末１５（出力部１５９）から入力された端末受信パケットを再生して、視聴可能となるように出力する装置である。
具体的には、再生装置１７は、例えば、端末受信パケットを再生する再生部と、再生部により再生された端末受信パケットに基づく映像を表示する表示部と、再生部により再生された端末受信パケットに基づく音声を出力する音声出力部と、などを備えて構成される。
【００８１】
制御部１６０は、例えば、図４に示すように、ＣＰＵ１６０１と、ＲＡＭ１６０２と、計時部１６０３と、記憶部１６０４と、などを備えて構成される。
【００８２】
ＣＰＵ１６０１は、例えば、記憶部１６０４に記憶された端末１５用の各種処理プログラムに従って各種の制御動作を行う。
【００８３】
ＲＡＮ１６０２は、例えば、ＣＰＵ１６０１によって実行される処理プログラムなどを展開するためのプログラム格納領域や、入力データや上記処理プログラムが実行される際に生じる処理結果などを格納するデータ格納領域などを備える。
【００８４】
計時部１６０３は、例えば、ＣＰＵ１６０１から入力される制御信号に従って、所与の計時処理を行う。
【００８５】
記憶部１６０４は、例えば、端末１５で実行可能なシステムプログラム、当該システムプログラムで実行可能な各種処理プログラム、これら各種処理プログラムを実行する際に使用されるデータ、ＣＰＵ１６０１によって演算処理された処理結果のデータなどを記憶する。なお、プログラムは、コンピュータが読み取り可能なプログラムコードの形で記憶部１６０４に記憶されている。
【００８６】
具体的には、記憶部１６０４は、例えば、図４に示すように、検出プログラム１６０４ａと、中継要求パケット作成プログラム１６０４ｂと、中継要求パケット送信制御プログラム１６０４ｃと、端末送信パケット作成プログラム１６０４ｄと、第１端末送信パケット送信制御プログラム１６０４ｅと、出力制御プログラム１６０４ｆと、取得プログラム１６０４ｇと、第１通信状態情報送信制御プログラム１６０４ｈと、などを記憶している。
【００８７】
検出プログラム１６０４ａは、例えば、端末５により受信された端末受信パケットの誤りを検出する機能を、ＣＰＵ１６０１に実現させる。
【００８８】
具体的には、ＣＰＵ１６０１は、例えば、基地局１１から送信されてセルラー受信用復調部１５３により復調された端末受信パケットに誤りがあるか否かを判定することによって図５に示す「第１パケット判定」を行い、当該端末受信パケットの誤りを検出するとともに、中継器１３により送信されてＬＡＮ受信用復調部１５８により復調された端末受信パケットに誤りがあるか否かを判定することによって図５に示す「第２パケット判定」を行い、当該端末受信パケットの誤りを検出する。
ここで、ＣＰＵ１６０１は、例えば、端末受信パケットに含まれる誤り検出用情報（例えば、パケット長、ヘッダー長、チェックサムなど）に基づいて、その端末受信パケットに誤りがあるか否かを判定するようになっている。
ＣＰＵ１６０１は、かかる検出プログラム１６０４ａを実行することによって、検出手段として機能する。
【００８９】
中継要求パケット作成プログラム１６０４ｂは、例えば、検出プログラム１６０４ａを実行したＣＰＵ１６０１により端末受信パケットの誤りが検出された場合に、当該端末受信パケットの送信を中継するよう要求する中継要求情報としての中継要求パケットを作成する機能を、ＣＰＵ１６０１に実現させる。
【００９０】
具体的には、ＣＰＵ１６０１は、例えば、中継要求パケットを作成することによって図５に示す「中継要求パケット発生」を行い、当該作成した中継要求パケットを、ＬＡＮ送信用変調部１５４に出力する。
ここで、中継要求パケットには、例えば、中継要求パケットを送信する端末１５を識別するための情報や、中継してほしい端末受信パケットを識別するための情報などが含まれている。
【００９１】
中継要求パケット送信制御プログラム１６０４ｃは、例えば、検出プログラム１６０４ａを実行したＣＰＵ１６０１により端末受信パケットの誤りが検出された場合に、ＬＡＮ送信部１５５及びＬＡＮ送受分離部１５６を制御して、中継器１３に対して、中継要求パケット作成プログラム１６０４ｂを実行したＣＰＵ１６０１により作成された中継要求パケットを送信させる機能を、ＣＰＵ１６０１に実現させる。
ＣＰＵ１６０１は、かかる中継要求パケット送信制御プログラム１６０４ｃを実行することによって、中継要求情報送信制御手段として機能する。
【００９２】
端末送信パケット作成プログラム１６０４ｄは、例えば、基地局１１に送信するための端末送信パケットを作成する機能を、ＣＰＵ１６０１に実現させる。
【００９３】
具体的には、ＣＰＵ１６０１は、例えば、端末送信パケットを作成することによって図５に示す「端末送信パケット発生」を行い、当該作成した端末送信パケットを、ＬＡＮ送信要変調部１５４に出力する。
【００９４】
第１端末送信パケット送信制御プログラム１６０４ｅは、例えば、ＬＡＮ送信部１５５及びＬＡＮ送受分離部１５６を制御して、中継器１３に対して、端末送信パケット作成プログラム１６０４ｄを実行したＣＰＵ１６０１により作成された端末送信パケットを送信させる機能を、ＣＰＵ１６０１に実現させる。
ＣＰＵ１６０１は、かかる端末送信パケット送信制御プログラム１６０４ｅを実行することによって、第１端末送信パケット送信制御手段として機能する。
【００９５】
出力制御プログラム１６０４ｆは、例えば、出力部１５９を制御して、再生装置１７に対して端末受信パケットを出力させる機能を、ＣＰＵ１６０１に実現させる。
【００９６】
具体的には、ＣＰＵ１６０１は、例えば、検出プログラム１６０４ａを実行したＣＰＵ１６０１により端末受信パケットの誤りが検出されなかった場合に、当該端末受信パケットを再生装置７に対して出力させる。
【００９７】
取得プログラム１６０４ｆは、例えば、基地局１１とのセルラー通信の状態に関する通信状態情報を取得する機能を、ＣＰＵ１６０１に実現させる。
【００９８】
具体的には、ＣＰＵ１６０１は、例えば、セルラー送受分離部１５１及びセルラー受信部１５２によりパケットが受信された際の受信状態に基づく通信状態情報を、セルラー受信部１５２から取得する。
ＣＰＵ１６０１は、かかる取得プログラム１６０４ｆを実行することによって、取得手段として機能する。
【００９９】
第１通信状態情報送信制御プログラム１６０４ｇは、例えば、ＬＡＮ送信部１５５及びＬＡＮ送受分離部１５６を制御して、中継器１３に対して、取得プログラム１６０４ｆを実行したＣＰＵ１６０１により取得された通信状態情報を送信させる機能を、ＣＰＵ１６０１に実現させる。
ＣＰＵ１６０１は、かかる第１通信状態情報送信制御プログラム１６０４ｇを実行することによって、通信状態情報送信制御手段、第１通信状態情報送信制御手段として機能する。
【０１００】
＜送信電力の制御処理＞
無線通信システム１０００における、基地局１１から送信される端末受信パケットの送信電力の制御に関する処理について、図６のフローチャートを参照して説明する。
【０１０１】
まず、中継器１３のＣＰＵ１４２１は、基地局１１から送信される所定の情報に基づいて、基地局１１が、中継器１３から送信された端末送信パケットの送信電力に応じて、端末受信パケットの送信電力を制御するセルラー基地局であるか否かを判断する（ステップＳ１）。
【０１０２】
ステップＳ１で、基地局１１が、中継器１３から送信された端末送信パケットの送信電力に応じて、端末受信パケットの送信電力を制御するセルラー基地局であると判断すると（ステップＳ１；Ｙｅｓ）、ＣＰＵ１４２１は、第２端末送信パケット送信制御プログラム１４２４ｃを実行することによって、端末１５から送信された通信状態情報に基づいて、セルラー送信部１４１及びセルラー送受分離部１３１により基地局１１に対して送信される端末送信パケットの送信電力を制御し（ステップＳ２）、本処理を終了する。
これにより、基地局１１の通信制御部１１は、中継器１３から送信された端末送信パケットの送信電力に応じて、端末受信パケットの送信電力を制御する。
【０１０３】
一方、ステップＳ１で、基地局１１が、中継器１３から送信された端末送信パケットの送信電力に応じて、端末受信パケットの送信電力を制御するセルラー基地局でないと判断すると（ステップＳ１；Ｎｏ）、ＣＰＵ１４２１は、基地局１１から送信される所定の情報に基づいて、基地局１１が、中継器１３から送信された通信状態情報に基づいて、端末受信パケットの送信電力を制御するセルラー基地局であるか否かを判断する（ステップＳ３）。
【０１０４】
ステップＳ３で、基地局１１が、中継器１３から送信された通信状態情報に基づいて、端末受信パケットの送信電力を制御するセルラー基地局であると判断すると（ステップＳ３；Ｙｅｓ）、ＣＰＵ１４２１は、第２通信状態情報送信制御プログラム１４２４ｄを実行することによって、セルラー送信部１４１及びセルラー送受分離部１３１を制御して、基地局１１に対して、端末１５から送信された通信状態情報を送信させ（ステップＳ４）、本処理を終了する。
これにより、基地局１１の通信制御部１１は、中継器１３から送信された通信状態情報に基づいて、端末受信パケットの送信電力を制御する。
【０１０５】
一方、ステップＳ３で、基地局１１が、中継器１３から送信された通信状態情報に基づいて、端末受信パケットの送信電力を制御するセルラー基地局でないと判断すると（ステップＳ３；Ｎｏ）、すなわち、基地局１１から送信される所定の情報に基づいて、基地局１１が、中継器１３から送信された送信電力情報に基づく送信電力で端末受信パケットが送信されるよう、端末受信パケットの送信電力を制御するセルラー基地局であると判断すると、ＣＰＵ１４２１は、決定プログラム１４２４ｅを実行することによって、端末１５から送信された通信状態情報に基づいて、基地局１１における端末受信パケットの送信電力を決定する（ステップＳ５）。
【０１０６】
次いで、ＣＰＵ１４２１は、送信電力情報送信制御プログラム１４２４ｆを実行することによって、セルラー送信部１４１及びセルラー送受分離部１３１を制御して、基地局１１に対して、ステップＳ５で決定された送信電力に関する送信電力情報を送信させ（ステップＳ６）、本処理を終了する。
これにより、基地局１１の通信制御部１１は、中継器１３から送信された送信電力情報に基づく送信電力で端末受信パケットが送信されるよう、端末受信パケットの送信電力を制御する。
【０１０７】
＜端末受信パケットの中継処理＞
無線通信システム１０００における端末受信パケットの中継に関する処理について、図７及び図８のフローチャートを参照して説明する。
なお、無線通信システム１０００においては、中継要求パケットの送受信の有無に関わらず端末送信パケットの中継は行われていることとする。すなわち、端末１５は、中継要求パケットの送信の有無に関わらず、端末送信パケットを中継器１３に対して送信し、中継器１３は、中継要求パケットの受信の有無に関わらず、端末１５から送信された端末送信パケットを受信して基地局１１に対して送信していることとする。
【０１０８】
（端末による端末受信パケットの中継処理（図７））
まず、セルラー送受分離部１５１及びセルラー受信部１５２が、基地局１１から送信された端末受信パケットを受信すると（ステップＳ１１）、端末１５のＣＰＵ１６０１は、検出プログラム１６０４ａを実行することによって、当該端末受信パケットに誤りがあるか否か判定し（ステップＳ１２）、当該端末受信パケットの誤りが検出されたか否かを判断する（ステップＳ１３）。
【０１０９】
ステップＳ１３で、端末受信パケットの誤りが検出されたと判断すると（ステップＳ１３；Ｙｅｓ）、ＣＰＵ１６０１は、中継要求パケット作成プログラム１６０４ｂを実行することによって、当該端末受信パケットの送信を中継するよう要求する中継要求パケットを作成して、中継要求パケット送信制御プログラム１６０４ｃを実行することによって、ＬＡＮ送信部１５５及びＬＡＮ送受分離部１５６を制御して、当該作成された中継要求パケットを中継器１３に対して送信させる（ステップＳ１４）。
【０１１０】
次いで、ＣＰＵ１６０１は、ＬＡＮ送受分離部１５６及びＬＡＮ受信部１５７が、中継器１３から送信された端末受信パケットを受信したか否かを判断する（ステップＳ１５）。
【０１１１】
ステップＳ１５で、中継器１３から送信された端末受信パケットを受信していないと判断すると（ステップＳ１５；Ｎｏ）、ＣＰＵ１６０１は、ステップＳ１５の処理を繰り返して行う。
【０１１２】
一方、ステップＳ１５で、中継器１３から送信された端末受信パケットを受信したと判断すると（ステップＳ１５；Ｙｅｓ）、ＣＰＵ１６０１は、ステップＳ１２以降の処理を繰り返して行う。
【０１１３】
また、ステップＳ１３で、端末受信パケットの誤りが検出されないと判断すると（ステップＳ１３；Ｎｏ）、ＣＰＵ１６０１は、出力制御プログラム１６０４ｆを実行することによって、出力部１５９を制御して、当該端末受信パケットを再生装置１７に対して出力させ（ステップＳ１６）、本処理を終了する。
【０１１４】
（中継器による端末受信パケットの中継処理（図８））
前提として、基地局１１から送信されて中継器１３により受信された端末受信パケットには誤りがなく、基地局１１から送信されて端末１５により受信された端末受信パケットは必ず中継器１３も受信していることとする。
【０１１５】
まず、セルラー送受分離部１３１及びセルラー受信部１３２が、基地局１１から送信された端末受信パケットを受信すると（ステップＳ２１）、中継器１３のＣＰＵ１４２１は、当該端末受信パケットに誤りがあるか否か判定する（ステップＳ２２）。ここで、前提として、基地局１１から送信されて中継器１３により受信された端末受信パケットには誤りがないため、ステップＳ２２では、端末受信パケットの誤りは検出されないと仮定する。
【０１１６】
次いで、ＣＰＵ１４２１は、当該端末受信パケットを、メモリ部１３４に保存する（ステップＳ２３）。
【０１１７】
次いで、ＣＰＵ１４２１は、計時部１４３２による計時を開始させる（ステップＳ２４）。
【０１１８】
次いで、ＣＰＵ１４２１は、ＬＡＮ送受分離部１３７及びＬＡＮ受信部１３８が、端末１５から送信された中継要求パケットを受信したか否かを判断する（ステップＳ２５）。
【０１１９】
ステップＳ２５で、端末１５から送信された中継要求パケットを受信していないと判断すると（ステップＳ２５；Ｎｏ）、ＣＰＵ１４２１は、ステップＳ２４での計時開始から、第１所定時間が経過したか否かを判断する（ステップＳ２６）。ここで、第１所定時間は、端末１５がステップＳ２３で保存した端末受信パケットの送信を中継するよう要求する中継要求パケットを送信しない、と確実に判断できる時間であれば任意である。
【０１２０】
ステップＳ２６で、第１所定時間が経過していないと判断すると（ステップＳ２６；Ｎｏ）、ＣＰＵ１４２１は、ステップＳ２５以降の処理を繰り返して行う。
【０１２１】
一方、ステップＳ２６で、第１所定時間が経過したと判断すると（ステップＳ２６；Ｙｅｓ）、ＣＰＵ１４２１は、計時部１４２３による計時を終了させ（ステップＳ２７）、本処理を終了する。
【０１２２】
また、ステップＳ２５で、端末１５から送信された中継要求パケットを受信したと判断すると（ステップＳ２５；Ｙｅｓ）、ＣＰＵ１４２１は、計時部１４２３による計時を終了させ（ステップＳ２８）、端末受信パケット中継プログラム１４２４ｂを実行することによって、ＬＡＮ送信部１３６及びＬＡＮ送受分離部１３７を制御して、メモリ部１３４に保存された端末受信パケットのうちの、当該中継要求パケットに応じた端末受信パケットを端末１５に対して送信させ（ステップＳ２９）、当該端末受信パケットの送信を中継する。
【０１２３】
次いで、ＣＰＵ１４２１は、計時部１４３２による計時を開始させる（ステップＳ３０）。
【０１２４】
次いで、ＣＰＵ１４２１は、ＬＡＮ送受分離部１３７及びＬＡＮ受信部１３８が、端末１５から送信された中継要求パケットを受信したか否かを判断する（ステップＳ３１）。
【０１２５】
ステップＳ３１で、端末１５から送信された中継要求パケットを受信したと判断すると（ステップＳ３１；Ｙｅｓ）、ＣＰＵ１４２１は、ステップＳ２８以降の処理を繰り返して行う。
【０１２６】
一方、ステップＳ３１で、端末１５から送信された中継要求パケットを受信していないと判断すると（ステップＳ３１；Ｎｏ）、ＣＰＵ１４２１は、ステップＳ３０での計時開始から、第２所定時間が経過したか否かを判断する（ステップＳ３２）。ここで、第２所定時間は、端末１５がステップＳ２９で送信した端末受信パケットを再中継するよう要求する中継要求パケットを送信しない、と確実に判断できる時間であれば任意である。
【０１２７】
ステップＳ３２で、第２所定時間が経過していないと判断すると（ステップＳ３２；Ｎｏ）、ＣＰＵ１４２１は、ステップＳ３１以降の処理を繰り返して行う。
【０１２８】
一方、ステップＳ３２で、第２所定時間が経過したと判断すると（ステップＳ３２；Ｙｅｓ）、ＣＰＵ１４２１は、ステップＳ２７の処理に移行する。
【０１２９】
以上説明した第１の実施の形態における通信システム１０００によれば、基地局１１と、基地局１１と無線通信を行う端末１５と、基地局１１と端末１５との間の無線通信を中継する中継器１３と、を備え、端末１５は、基地局１１から送信された端末受信パケットを受信する、基地局１１とセルラー通信を行うためのセルラー送受分離部１５１及びセルラー受信部１５２と、中継器１３と無線ＬＡＮ通信を行うためのＬＡＮ送信部１５５、ＬＡＮ送受分離部１５６及びＬＡＮ受信部１５７と、中継器１３に対して、基地局１１に送信するための端末送信パケットを送信させる第１端末送信パケット送信制御プログラム１６０４ｅを実行したＣＰＵ１６０１と、を備え、中継器１３は、端末１５と無線ＬＡＮ通信を行うためのＬＡＮ送信部１３６、ＬＡＮ送受分離部１３７及びＬＡＮ受信部１３８と、基地局１１とセルラー通信を行うためのセルラー送信部１４１、セルラー送受分離部１３１及びセルラー受信部１３２と、端末１５から送信された端末送信パケットを受信した場合に、基地局１１に対して、当該端末送信パケットを送信させる第２端末送信パケット送信制御プログラム１４２４ｃを実行したＣＰＵ１４２１と、を備えている。
【０１３０】
さらに、端末１５は、基地局１１から送信された端末受信パケットの誤りを検出する検出プログラム１６０４ａを実行したＣＰＵ１６０１と、端末受信パケットの誤りが検出された場合に、中継器１３に対して、当該端末受信パケットの送信を中継するよう要求する中継要求パケットを送信させる中継要求パケット送信制御プログラム１６０４ｃを実行したＣＰＵ１４２１と、を備え、中継器１１は、端末１５から送信された中継要求パケットに基づいて、端末１５に対して、基地局１１から送信された端末受信パケットのうちの、当該中継要求パケットに応じた端末受信パケットを送信させることによって、当該端末受信パケットの送信を中継する端末受信パケット中継プログラム１４２４ｂを実行したＣＰＵ１４２１を備えている。
【０１３１】
すなわち、端末１５は、基地局１１に送信するための端末送信パケットを、無線ＬＡＮ通信によって中継器１３に対して送信し、その中継器１３を介して基地局１１に対して送信するようになっているため、端末送信パケットをセルラー通信によって基地局１１に対して直接送信する場合と比較して、端末１５にかかる負担を軽減することができる。
また、中継器１３による、端末１５から基地局１１に対して送信される端末送信パケットの中継は必須であるが、基地局１１から端末１５に対して送信される端末受信パケットの中継は、中継要求パケットを受信した場合のみであるため、端末１５と基地局１１との間の通信を全て中継する場合と比較して、中継器１３及び端末１５にかかる負担を軽減することができる。
したがって、端末と中継器の負担を分散させて効率的な無線通信を行うことができる。
【０１３２】
ここで、端末１５の位置が、基地局１１から送信される端末受信パケットを受信し易い位置にある場合、基地局１１から送信された端末受信パケットの誤りが検出され難いため、中継要求パケットの送信回数を抑えることができる。したがって、第１の実施の形態の手法（基地局１１から送信された端末受信パケットの誤りが検出された場合に、中継器１３が端末受信パケットの送信を中継する手法）は、端末１５の位置が、基地局１１から送信される端末受信パケットを受信し易い位置にある場合に有効である。
【０１３３】
また、以上説明した第１の実施の形態における通信システム１０００によれば、端末１５は、基地局１１とのセルラー通信の状態に関する通信状態情報を取得する取得プログラム１６０４ｇを実行したＣＰＵ１６０１と、ＬＡＮ送信部１５５及びＬＡＮ送受分離部１５６を制御して、中継器１３に対して、取得された通信状態情報を送信させる第１通信状態情報送信制御プログラム１６０４ｇを実行したＣＰＵ１６０１と、を備えている。そして、基地局１１が、中継器１３から送信された端末送信パケットの送信電力に応じて、端末受信パケットの送信電力を制御するセルラー基地局である場合、中継器１３は、端末１５から送信された通信状態情報に基づいて、セルラー送信部１４１及びセルラー送受分離部１３１により基地局１１に対して送信される端末送信パケットの送信電力を制御するようになっている。また、基地局１１が、中継器１３から送信された通信状態情報に基づいて、端末受信パケットの送信電力を制御するセルラー基地局である場合、中継器１３は、セルラー送信部１４１及びセルラー送受分離部１３１を制御して、基地局１１に対して、端末１５から送信された通信状態情報を送信させるようになっている。また、基地局１１が、中継器１３により送信された送信電力情報に基づく送信電力で端末受信パケットが送信されるよう、端末受信パケットの送信電力を制御するセルラー基地局である場合、中継器１３は、端末１５から送信された通信状態情報に基づいて基地局１１における端末受信パケットの送信電力を決定し、セルラー送信部１４１及びセルラー送受分離部１３１を制御して、基地局１１に対して、決定された送信電力に関する送信電力情報を送信させるようになっている。
【０１３４】
すなわち、端末１５と基地局１１との間のセルラー通信における端末１５側の受信状態が悪い場合には、基地局１１から送信される端末受信パケットの送信電力を高くして、その受信感度を改善させることができため、基地局１１から端末１５に送信される端末受信パケットの誤りを抑えることができることとなって、中継器１３及び端末１５にかかる負担を軽減することができる。
【０１３５】
［第２の実施の形態］
次に、第２の実施の形態における無線通信システム２０００について説明する。
なお、第１の実施の形態の無線通信システム１０００では、端末１５は、基地局１１から直接受信した端末受信パケットを再生装置１７に対して出力することを前提として、当該端末受信パケットの誤りがあった場合のみ、中継器１３により端末受信パケットの送信を中継してもらうようになっていたが、第２の実施の形態の無線通信システム２０００では、端末２５は、中継器１３により中継してもらった端末受信パケットを再生装置１７に対して出力することを前提として、基地局１１から直接受信した端末受信パケットに誤りがなかった場合のみ、当該中継を中止してもらうようになっている。
すなわち、第１の実施の形態の端末１５は、中継要求パケットを送信し、第１の実施の形態の中継器１３は、その中継要求パケットに応じて端末受信パケットの送信を中継するようになっていたが、第２の実施の形態の端末２５は、中継キャンセル要求パケットを送信し、第２の実施の形態の中継器２３は、その中継キャンセル要求パケットに応じて、端末受信パケットの送信の中継をキャンセルするようになっている。この点のみが、第１の実施の形態の無線通信システム１０００と、第２の実施の形態の無線通信システム２０００と、の違いである。したがって、異なる箇所のみについて説明し、その他の共通する部分は同一符号を付して説明する。
【０１３６】
＜無線通信システムの構成＞
無線通信システム２０００は、例えば、図９に示すように、基地局１１と、基地局１１と無線通信を行う端末２５と、基地局１１と端末２５との間の無線通信を中継する中継器２３と、を備えている。
【０１３７】
（中継器）
中継器２３は、例えば、基地局１１との間でＷｉＭＡＸ通信などのセルラー通信を行うとともに、端末２３との間でＷｉＦｉ通信などの無線ＬＡＮ通信を行う、セルラー／無線ＬＡＮ中継器である。
ここで、図１０に、中継器２３の機能的構成を示すブロック図を示し、図１１に、中継器２３における処理及びデータ（パケット）の流れを示す図を示す。
【０１３８】
具体的には、中継器２３は、例えば、図１０に示すように、セルラー送受分離部１３１と、セルラー受信部１３２と、セルラー受信用復調部１３３と、メモリ部１３４と、ＬＡＮ送信用再変調部１３５と、ＬＡＮ送信部１３６と、ＬＡＮ送受分離部１３７と、ＬＡＮ受信部１３８と、ＬＡＮ受信用復調部１３９と、セルラー送信用再変調部１４０と、セルラー送信部１４１と、制御部２４２と、などを備えて構成される。
【０１３９】
中継器２３において、制御部２４２以外の構成は、第１の実施の形態の中継器１３と略同一である。したがって、制御部２４２以外の構成については、図１１を参照して簡単に説明する。
【０１４０】
まず、セルラー送受分離部１３１及びセルラー受信部１３２が、基地局１１から送信された端末受信パケットを受信すると（「セルラー送受分離」及び「セルラー受信」）、当該受信された端末受信パケットは、セルラー受信用復調部１３３で復調される（「第１復調」）。
【０１４１】
次いで、当該復調された端末受信パケットは、メモリ部１３４に保存され（「パケット保存」）、当該保存された端末受信パケットは、端末２５から中継キャンセル要求がなかった場合に、ＬＡＮ送信用再変調部１３５で無線ＬＡＮ通信用に変調され（「第１再変調」）、ＬＡＮ送信部１３６及びＬＡＮ送受分離部１３７により、端末２５に対して送信される（「無線ＬＡＮ送信」及び「無線ＬＡＮ送受分離」）。
【０１４２】
また、ＬＡＮ送受分離部１３７及びＬＡＮ受信部１３８が、端末２５から送信されたパケット（中継キャンセル要求パケット又は端末送信パケット）を受信すると（「無線ＬＡＮ送受分離」及び「無線ＬＡＮ受信」）、当該受信されたパケットは、ＬＡＮ受信用復調部１３９で復調される（「第２復調」）。
【０１４３】
次いで、制御部２４２により、当該受信されたパケットが、中継要求キャンセルパケットであるか、端末送信パケットであるか、判定される。
そして、中継キャンセル要求パケットであると判定された場合、当該中継キャンセル要求パケットは、制御部２４２により解読される（「中継キャンセル要求チェック」）。
一方、端末送信パケットであると判定された場合、当該端末送信パケットは、セルラー送信用再変調部１４０でセルラー通信用に変調され（「第２再変調」）、セルラー送信部１４１及びセルラー送受分離部１３１により、基地局１１に対して送信される（「セルラー送信」及び「セルラー送受分離」）。
【０１４４】
制御部２４２は、例えば、図１０に示すように、ＣＰＵ１４２１と、ＲＡＭ１４２２と、計時部１４２３と、記憶部２４２４と、などを備えて構成される。
【０１４５】
記憶部２４２４は、例えば、図１０に示すように、保存パケット消去プログラム１４２４ａと、端末受信パケット中継プログラム２４２４ｂと、第２端末送信パケット送信制御プログラム１４２４ｃと、第２通信状態情報送信制御プログラム１４２４ｄと、決定プログラム１４２４ｅと、送信電力情報送信制御プログラム１４２４ｆと、などを記憶している。
【０１４６】
端末受信パケット中継プログラム２４２４ｂは、例えば、ＬＡＮ送信部１３６及びＬＡＮ送受分離部１３７を制御して、端末２５に対して、基地局１１から送信されてセルラー送受分離部１３１及びセルラー受信部１３２により受信された端末受信パケットを送信させることによって、当該端末受信パケットの送信を中継する機能を、ＣＰＵ１４２１に実現させる。
【０１４７】
具体的には、ＣＰＵ１４２１は、例えば、メモリ部１３４に端末受信パケットが保存されると、当該端末受信パケットをメモリ部１３４から取得して、ＬＡＮ送信用再変調部１３５に出力し、端末１５に対して送信させる。
【０１４８】
ここで、ＣＰＵ１４２１は、例えば、端末２５から送信された中継キャンセル要求情報としての中継キャンセル要求パケットに基づいて、端末受信パケットの送信の中継を中止するようになっている。
【０１４９】
具体的には、ＣＰＵ１４２１は、例えば、ＬＡＮ受信用復調部１３９により復調されたパケットが、中継キャンセル要求パケットであるか端末送信パケットであるか否かを判別する。
そして、ＣＰＵ１４２１は、例えば、ＬＡＮ受信用復調部１３９により復調されたパケットが端末送信パケットであると判別した場合に、ＬＡＮ受信用復調部１３９に制御信号を入力して、当該端末送信パケットをセルラー送信用再変調部１４０に出力させる。
一方、ＣＰＵ１４２１は、例えば、ＬＡＮ受信用復調部１３９により復調されたパケットが中継キャンセル要求パケットであると判別した場合に、当該中継キャンセル要求パケットを解読することによって図１１に示す「中継キャンセル要求チェック」を行い、当該中継キャンセル要求パケットに応じた端末受信パケットの送信の中継を中止する。
ＣＰＵ１４２１は、かかる端末受信パケット中継プログラム２４２４ｃを実行することによって、端末受信パケット中継手段として機能する。
【０１５０】
（端末）
端末２５は、例えば、基地局１１との間でＷｉＭＡＸ通信などのセルラー通信を行うとともに、中継器２３との間でＷｉＦｉ通信などの無線ＬＡＮ通信を行う、セルラー／無線ＬＡＮ端末である。
ここで、図１２に、端末２５の機能的構成を示すブロック図を示し、図１３に、端末２５における処理及びデータ（パケット）の流れを示す図を示す。
【０１５１】
具体的には、端末２５は、例えば、図１２に示すように、セルラー送受分離部１５１と、セルラー受信部１５２と、セルラー受信用復調部１５３と、ＬＡＮ送信用変調部１５４と、ＬＡＮ送信部１５５と、ＬＡＮ送受分離部１５６と、ＬＡＮ受信部１５７と、ＬＡＮ受信用復調部１５８と、出力部１５９と、制御部２６０と、などを備えて構成される。
【０１５２】
端末２５において、制御部２６０以外の構成は、第１の実施の形態の端末１５と略同一である。したがって、制御部２６０以外の構成については、図１３を参照して簡単に説明する。
【０１５３】
まず、セルラー送受分離部１５１及びセルラー受信部１５２が、基地局１１から送信された端末受信パケットを受信すると（「セルラー送受分離」及び「セルラー受信」）、当該受信された端末受信パケットは、セルラー受信用復調部１５３で復調される（「第１復調」）。
【０１５４】
次いで、制御部２６０により、当該復調されたパケットに、誤りがあるか否か判定される（「第１パケット判定」）。
そして、誤りがあると判定された場合、端末２５は、中継器２３から送信された端末受信パケットを受信するまで待機する。
一方、誤りがないと判定された場合、当該誤りがないと判定された端末受信パケットは、再生装置１７に対して出力され（「出力」）、制御部２６０により、中継キャンセル要求パケットが作成される（「中継キャンセル要求パケット発生」）。
【０１５５】
次いで、当該作成された中継キャンセル要求パケットは、ＬＡＮ送信用変調部１５４で無線ＬＡＮ通信用に変調され（「第１変調」）、ＬＡＮ送信部１５５及びＬＡＮ送受分離部１５６により、中継器２３に対して送信される（「無線ＬＡＮ送信」及び「無線ＬＡＮ送受分離」）。
【０１５６】
また、制御部２６０により、端末送信パケットが作成され（「端末送信パケット発生」）、当該作成された端末送信パケットは、ＬＡＮ送信用変調部１５４で無線ＬＡＮ通信用に変調され（「第２変調」）、ＬＡＮ送信部１５５及びＬＡＮ送受分離部１５６により、中継器２３に対して送信される（「無線ＬＡＮ送信」及び「無線ＬＡＮ送受分離」）。
【０１５７】
また、ＬＡＮ送受分離部１５６及びＬＡＮ受信部１５７が、中継器２３から送信された端末受信パケットを受信すると（「無線ＬＡＮ送受分離」及び「無線ＬＡＮ受信」）、当該受信された端末受信パケットは、ＬＡＮ受信用復調部１５８で復調される（「第２復調」）。
【０１５８】
次いで、制御部２６０により、当該復調されたパケットに、誤りがあるか否か判定される（「第２パケット判定」）。
そして、誤りがあると判定された場合、端末２５は、中継器２３から送信された端末受信パケットを受信するまで待機する。
一方、誤りがないと判定された場合、当該誤りがないと判定された端末受信パケットは、再生装置１７に対して出力され（「出力」）、制御部２６０により、中継キャンセル要求パケットが作成される（「中継キャンセル要求パケット発生」）。
【０１５９】
制御部２６０は、例えば、図１２に示すように、ＣＰＵ１６０１と、ＲＡＭ１６０２と、計時部１６０３と、記憶部２６０４と、などを備えて構成される。
【０１６０】
記憶部２６０４は、例えば、図１２に示すように、検出プログラム１６０４ａと、中継キャンセル要求パケット作成プログラム２６０４ｂと、中継キャンセル要求パケット送信制御プログラム２６０４ｃと、端末送信パケット作成プログラム１６０４ｄと、第１端末送信パケット送信制御プログラム１６０４ｅと、出力制御プログラム１６０４ｆと、取得プログラム１６０４ｇと、第１通信状態情報送信制御プログラム１６０４ｈと、などを記憶している。
【０１６１】
中継キャンセル要求パケット作成プログラム２６０４ｂは、例えば、検出プログラム１６０４ａを実行したＣＰＵ１６０１により端末受信パケットの誤りが検出されなかった場合に、当該端末受信パケットの送信の中継をキャンセルするよう要求する中継キャンセル要求情報としての中継キャンセル要求パケットを作成する機能を、ＣＰＵ１６０１に実現させる。
【０１６２】
具体的には、ＣＰＵ１６０１は、例えば、中継キャンセル要求パケットを作成することによって図１３に示す「中継キャンセル要求パケット発生」を行い、その作成した中継キャンセルパケットを、ＬＡＮ送信用変調部１５４に出力する。
ここで、中継キャンセル要求パケットには、例えば、中継キャンセル要求パケットを送信する端末２５を識別するための情報や、中継をキャンセルしてほしい端末受信パケットを識別するための情報などが含まれている。
【０１６３】
中継キャンセル要求パケット送信制御プログラム２６０４ｃは、例えば、検出プログラム１６０４ａを実行したＣＰＵ１６０１により端末受信パケットの誤りが検出されなかった場合に、ＬＡＮ送信部１５５及びＬＡＮ送受分離部１５６を制御して、中継器１３に対して、中継キャンセル要求パケット作成プログラム２６０４ｂを実行したＣＰＵ１６０１により作成された中継キャンセル要求パケットを送信させる機能を、ＣＰＵ１６０１に実現させる。
ＣＰＵ１６０１は、かかる中継キャンセル要求パケット送信制御プログラム２６０４ｃを実行することによって、中継キャンセル要求情報送信制御手段として機能する。
【０１６４】
＜送信電力の制御処理＞
第２の実施の形態における、基地局１１から送信される端末受信パケットの送信電力の制御に関する処理は、第１の実施の形態における、基地局１１から送信される端末受信パケットの送信電力の制御に関する処理（図６）と略同一であるため、詳細な説明は省略する。
【０１６５】
＜端末受信パケットの中継処理＞
無線通信システム２０００における端末受信パケットの中継に関する処理について、図１４及び図１５のフローチャートを参照して説明する。
なお、無線通信システム２０００においては、中継キャンセル要求パケットの送受信の有無に関わらず端末送信パケットの中継は行われていることとする。すなわち、端末２５は、中継キャンセル要求パケットの送信の有無に関わらず、端末送信パケットを中継器２３に対して送信し、中継器２３は、中継キャンセル要求パケットの受信の有無に関わらず、端末２５から送信された端末送信パケットを受信して基地局１１に対して送信していることとする。
【０１６６】
（端末による端末受信パケットの中継処理（図１４））
まず、セルラー送受分離部１５１及びセルラー受信部１５２が、基地局１１から送信された端末受信パケットを受信すると（ステップＳ４１）、端末２５のＣＰＵ１６０１は、検出プログラム１６０４ａを実行することによって、当該端末受信パケットに誤りがあるか否か判定し（ステップＳ４２）、当該端末受信パケットの誤りが検出されたか否かを判断する（ステップＳ４３）。
【０１６７】
ステップＳ４３で、端末受信パケットの誤りが検出されたと判断すると（ステップＳ１３；Ｙｅｓ）、ＣＰＵ１６０１は、ＬＡＮ送受分離部１５６及びＬＡＮ受信部１５７が、中継器１３から送信された端末受信パケットを受信したか否かを判断する（ステップＳ４４）。
【０１６８】
ステップＳ４４で、中継器１３から送信された端末受信パケットを受信していないと判断すると（ステップＳ４４；Ｎｏ）、ＣＰＵ１６０１は、ステップＳ４４の処理を繰り返して行う。
【０１６９】
一方、ステップＳ４４で、中継器１３から送信された端末受信パケットを受信したと判断すると（ステップＳ４４；Ｙｅｓ）、ＣＰＵ１６０１は、ステップＳ４２以降の処理を繰り返して行う。
【０１７０】
また、ステップＳ４４で、端末受信パケットの誤りが検出されないと判断すると（ステップＳ４４；Ｎｏ）、ＣＰＵ１６０１は、中継キャンセル要求パケット作成プログラム２６０４ｂを実行することによって、当該端末受信パケットの送信の中継をキャンセルするよう要求する中継キャンセル要求パケットを作成して、中継キャンセル要求パケット送信制御プログラム２６０４ｃを実行することによって、ＬＡＮ送信部１５５及びＬＡＮ送受分離部１５６を制御して、当該作成された中継キャンセル要求パケットを中継器１３に対して送信させる（ステップＳ４５）。
【０１７１】
次いで、ＣＰＵ１６０１は、出力制御プログラム１６０４ｆを実行することによって、出力部１５９を制御して、当該誤りがないと判定された端末受信パケットを再生装置１７に対して出力させ（ステップＳ４６）、本処理を終了する。
【０１７２】
（中継器による端末受信パケットの中継処理（図１５））
前提として、基地局１１から送信されて中継器２３により受信された端末受信パケットには誤りがなく、基地局１１から送信されて端末２５により受信された端末受信パケットは必ず中継器２３も受信していることとする。
【０１７３】
まず、セルラー送受分離部１３１及びセルラー受信部１３２が、基地局１１から送信された端末受信パケットを受信すると（ステップＳ５１）、中継器２３のＣＰＵ１４２１は、当該端末受信パケットに誤りがあるか否か判定する（ステップＳ５２）。ここで、前提として、基地局１１から送信されて中継器２３により受信された端末受信パケットには誤りがないため、ステップＳ５２では、端末受信パケットの誤りは検出されないと仮定する。
【０１７４】
次いで、ＣＰＵ１４２１は、当該端末受信パケットを、メモリ部１３４に保存する（ステップＳ５３）。
【０１７５】
次いで、ＣＰＵ１４２１は、計時部１４３２による計時を開始させる（ステップＳ５４）。
【０１７６】
次いで、ＣＰＵ１４２１は、ＬＡＮ送受分離部１３７及びＬＡＮ受信部１３８が、端末２５から送信された中継キャンセル要求パケットを受信したか否かを判断する（ステップＳ５５）。
【０１７７】
ステップＳ５５で、端末２５から送信された中継キャンセル要求パケットを受信したと判断すると（ステップＳ５５；Ｙｅｓ）、ＣＰＵ１４２１は、計時部１４２３による計時を終了させ（ステップＳ５６）、本処理を終了する。すなわち、端末受信パケットの送信の中継を中止する。
【０１７８】
一方、ステップＳ５５で、端末２５から送信された中継キャンセル要求パケットを受信していないと判断すると（ステップＳ５５；Ｎｏ）、ＣＰＵ１４２１は、ステップＳ５４での計時開始から、第１所定時間が経過したか否かを判断する（ステップＳ５７）。ここで、第１所定時間は、端末２５がステップＳ５３で保存した端末受信パケットの送信の中継をキャンセルするよう要求する中継キャンセル要求パケットを送信しない、と確実に判断できる時間であれば任意である。
【０１７９】
ステップＳ５７で、第１所定時間が経過していないと判断すると（ステップＳ５７；Ｎｏ）、ＣＰＵ１４２１は、ステップＳ５５以降の処理を繰り返して行う。
【０１８０】
一方、ステップＳ５７で、第１所定時間が経過したと判断すると（ステップＳ５７；Ｙｅｓ）、ＣＰＵ１４２１は、計時部１４２３による計時を終了させ（ステップＳ５８）、端末受信パケット中継プログラム２４２４ｂを実行することによって、ＬＡＮ送信部１３６及びＬＡＮ送受分離部１３７を制御して、ステップＳ５３でメモリ部１３４に保存された端末受信パケットを端末１５に対して送信させ（ステップＳ５９）、当該端末受信パケットの送信を中継する。
【０１８１】
次いで、ＣＰＵ１４２１は、計時部１４３２による計時を開始させる（ステップＳ６０）。
【０１８２】
次いで、ＣＰＵ１４２１は、ＬＡＮ送受分離部１３７及びＬＡＮ受信部１３８が、端末２５から送信された中継キャンセル要求パケットを受信したか否かを判断する（ステップＳ６１）。
【０１８３】
ステップＳ６１で、端末２５から送信された中継キャンセル要求パケットを受信したと判断すると（ステップＳ６１；Ｙｅｓ）、ＣＰＵ１４２１は、ステップＳ５６の処理に移行する。すなわち、端末受信パケットの送信の中継を中止する。
【０１８４】
一方、ステップＳ６１で、端末２５から送信された中継キャンセル要求パケットを受信していないと判断すると（ステップＳ６１；Ｎｏ）、ＣＰＵ１４２１は、ステップＳ６０での計時開始から、第２所定時間が経過したか否かを判断する（ステップＳ６２）。ここで、第２所定時間は、端末２５がステップＳ５９で送信した端末受信パケットの再中継をキャンセルするよう要求する中継キャンセル要求パケットを送信しない、と確実に判断できる時間であれば任意である。
【０１８５】
ステップＳ６２で、第２所定時間が経過していないと判断すると（ステップＳ６２；Ｎｏ）、ＣＰＵ１４２１は、ステップＳ６１以降の処理を繰り返して行う。
【０１８６】
一方、ステップＳ６２で、第２所定時間が経過したと判断すると（ステップＳ６２；Ｙｅｓ）、ＣＰＵ１４２１は、ステップＳ５８以降の処理を繰り返して行う。
【０１８７】
以上説明した第２の実施の形態における無線通信システム２０００によれば、中継器２３は、ＬＡＮ送信部１３６及びＬＡＮ送受分離部１３７を制御して、端末２５に対して、基地局１１から送信された端末受信パケットを送信させることによって、当該端末受信パケットの送信を中継する端末受信パケット中継プログラム２４２４ｂを実行したＣＰＵ１４２１を備え、端末２５は、基地局１１から送信された端末受信パケットの誤りが検出されなかった場合に、中継器２３に対して、当該端末受信パケットの送信の中継をキャンセルするよう要求する中継キャンセル要求パケットを送信させる中継キャンセル要求パケット送信制御プログラム２６０４ｃを実行したＣＰＵ１６０１を備え、そして、中継器２３は、端末５から送信された中継キャンセル要求パケットに基づいて、端末１５に対する端末受信パケットの送信の中継を中止するようになっている。
【０１８８】
すなわち、中継器２３による、端末２５から基地局１１に対して送信される端末送信パケットの中継は必須であるが、基地局１１から端末２５に対して送信される端末受信パケットの中継は、中継キャンセル要求パケットが送信された場合には行わなくて良いため、端末２５と基地局１１との間の通信を全て中継する場合と比較して、中継器１３及び端末２５にかかる負担を軽減することができる。したがって、端末と中継器の負担を分散させて効率的な無線通信を行うことができる。
【０１８９】
ここで、端末２５の位置が、基地局１１から送信される端末受信パケットを受信し難い位置にある場合、基地局１１から送信された端末受信パケットの誤りが検出され易いため、中継キャンセル要求パケットの送信回数を抑えることができる。したがって、第２の実施の形態の手法（基地局１１から送信された端末受信パケットの誤りが検出されない場合に、中継器２３が端末受信パケットの送信の中継を中止する手法）は、端末２５の位置が、基地局１１から送信される端末受信パケットを受信し難い位置にある場合に有効である。
【０１９０】
なお、本発明は、上記した実施の形態のものに限るものではなく、その要旨を逸脱しない範囲で適宜変更可能である。
【０１９１】
［変形例１］
第１の実施の形態において、中継器１３が備える、セルラー送信部１４１とＬＡＮ送信部１３６、セルラー送受分離部１３１とＬＡＮ送受分離部１３７、セルラー受信部１３２とＬＡＮ受信部１３８は、図１６に示す中継器１３Ａに示すように、一体的に構成されていても良い。
【０１９２】
具体的には、中継器１３Ａは、例えば、図１６に示すように、送信部１４３Ａと、送受分離部１４４Ａと、受信部１４５Ａと、セルラー受信用復調部１３３と、メモリ部１３４と、ＬＡＮ送信用再変調部１３５と、ＬＡＮ受信用復調部１３９と、セルラー送信用再変調部１４０と、制御部１４２Ａと、などを備えて構成される。
【０１９３】
送信部１４３Ａは、例えば、制御部１４２Ａによりセルラー通信可能な状態に切り替えられると、第１の実施の形態のセルラー送信部１４１として機能し、制御部１４２Ａにより無線ＬＡＮ通信可能な状態に切り替えられると、第１の実施の形態のＬＡＮ送信部１３６として機能する。
【０１９４】
送受分離部１４４Ａは、例えば、制御部１４２Ａによりセルラー通信可能な状態に切り替えられると、第１の実施の形態のセルラー送受分離部１３１として機能し、制御部１４２Ａにより無線ＬＡＮ通信可能な状態に切り替えられると、第１の実施の形態のＬＡＮ送受分離部１３７として機能する。
【０１９５】
受信部１４５Ａは、例えば、制御部１４２Ａによりセルラー通信可能な状態に切り替えられると、第１の実施の形態のセルラー受信部１３２として機能し、制御部１４２Ａにより無線ＬＡＮ通信可能な状態に切り替えられると、第１の実施の形態のＬＡＮ受信部１３８として機能する。
【０１９６】
なお、基地局１１とセルラー通信が可能であるとともに、端末１５と無線ＬＡＮ通信が可能である中継器側通信手段は、例えば、送信部１４３Ａと、送受分離部１４４Ａと、受信部１４５Ａと、からなる。
【０１９７】
制御部１４２Ａは、例えば、図１６に示すように、ＣＰＵ１４２１と、ＲＡＭ１４２２と、計時部１４２３と、記憶部１４２４Ａと、などを備えて構成される。
【０１９８】
記憶部１４２４Ａは、例えば、図１６に示すように、保存パケット消去プログラム１４２４ａと、端末受信パケット中継プログラム１４２４ｂと、第２端末送信パケット送信制御プログラム１４２４ｃと、第２通信状態情報送信制御プログラム１４２４ｄと、決定プログラム１４２４ｅと、送信電力情報送信制御プログラム１４２４ｆと、切替プログラム１４２４ｇＡと、などを記憶している。
【０１９９】
切替プログラム１４２４ｇＡは、例えば、所定のタイミングで、送信部１４３Ａ、送受分離部１４４Ａ及び受信部１４５Ａを、セルラー通信可能な状態と、無線ＬＡＮ通信可能な状態と、に切り替える機能を、ＣＰＵ１４２１に実現させる。
ＣＰＵ１４２１は、かかる切替プログラム１４２４ｇＡを実行することによって、中継器側切替手段として機能する。
【０２００】
変形例１の中継器１３Ａにおいては、セルラー通信用の送信部と無線ＬＡＮ通信用の送信部とが一体的に構成されており、セルラー通信用の送受分離部と無線ＬＡＮ通信用の送受分離部とが一体的に構成されており、セルラー通信用の受信部と無線ＬＡＮ通信用の受信部とが一体的に構成されているため、別体的に構成されている場合と比較して、部品点数を抑えることができる。
なお、第２の実施の形態においても、中継器２３が備える、セルラー送受分離部１３１とＬＡＮ送受分離部１３７、セルラー受信部１３２とＬＡＮ受信部１３８、セルラー送信部１４１とＬＡＮ送信部１３６は、一体的に構成されていても良い。
【０２０１】
［変形例２］
第１の実施の形態において、端末１５が備える、セルラー送受分離部１５１とＬＡＮ送受分離部１５６、セルラー受信部１５２とＬＡＮ受信部１５７は、図１７に示す端末１５Ａに示すように、一体的に構成されていても良い。
【０２０２】
具体的には、端末１５Ａは、例えば、図１７に示すように、送受分離部１６１Ａと、受信部１６２Ａと、セルラー受信用復調部１５３と、ＬＡＮ送信用変調部１５４と、ＬＡＮ送信部１５５と、ＬＡＮ受信用復調部１５８と、出力部１５９と、制御部１６０Ａと、などを備えて構成される。
【０２０３】
送受分離部１６１Ａは、例えば、制御部１６０Ａによりセルラー通信可能な状態に切り替えられると、第１の実施の形態のセルラー送受分離部１５１として機能し、制御部１６０Ａにより無線ＬＡＮ通信可能な状態に切り替えられると、第１の実施の形態のＬＡＮ送受分離部１５６として機能する。
【０２０４】
受信部１６２Ａは、例えば、制御部１６０Ａによりセルラー通信可能な状態に切り替えられると、第１の実施の形態のセルラー受信部１５２として機能し、制御部１６０Ａにより無線ＬＡＮ通信可能な状態に切り替えられると、第１の実施の形態のＬＡＮ受信部１５７として機能する。
【０２０５】
なお、基地局１１とセルラー通信が可能であるとともに、中継器１３と無線ＬＡＮ通信が可能である端末側通信手段は、例えば、送受分離部１６１Ａと、受信部１６２Ａと、ＬＡＮ送信部１５５と、からなる。
【０２０６】
制御部１６０Ａは、例えば、図１７に示すように、ＣＰＵ１６０１と、ＲＡＭ１６０２と、計時部１６０３と、記憶部１６０４Ａと、などを備えて構成される。
【０２０７】
記憶部１６０４Ａは、例えば、図１７に示すように、検出プログラム１６０４ａと、中継要求パケット作成プログラム１６０４ｂと、中継要求パケット送信制御プログラム１６０４ｃと、端末送信パケット作成プログラム１６０４ｄと、第１端末送信パケット送信制御プログラム１６０４ｅと、出力制御プログラム１６０４ｆと、取得プログラム１６０４ｇと、第１通信状態情報送信制御プログラム１６０４ｈと、切替プログラム１６０４ｉＡと、などを記憶している。
【０２０８】
切替プログラム１６０４ｉＡは、例えば、所定のタイミングで、送受分離部１６１Ａ及び受信部１６２Ａを、セルラー通信可能な状態と、無線ＬＡＮ通信可能な状態と、に切り替える機能を、ＣＰＵ１６０１に実現させる。
ＣＰＵ１６０１は、かかる切替プログラム１６０４ｉＡを実行することによって、端末側切替手段として機能する。
【０２０９】
変形例２の端末１５Ａにおいては、セルラー通信用の送受分離部と無線ＬＡＮ通信用の送受分離部とが一体的に構成されており、セルラー通信用の受信部と無線ＬＡＮ通信用の受信部とが一体的に構成されているため、別体的に構成されている場合と比較して、部品点数を抑えることができる。
なお、第２の実施の形態においても、端末１５が備える、セルラー送受分離部１５１とＬＡＮ送受分離部１５６、セルラー受信部１５２とＬＡＮ受信部１５７は、一体的に構成されていても良い。また、変形例１においても、端末１５が備える、セルラー送受分離部１５１とＬＡＮ送受分離部１５６、セルラー受信部１５２とＬＡＮ受信部１５７は、一体的に構成されていても良い。
【０２１０】
なお、第１の実施の形態において、基地局１１から送信されて中継器１３により受信された端末受信パケットには誤りがないとしたが、基地局１１から送信されて中継器１３により受信された端末受信パケットには誤りがある場合、中継器１３は、基地局１１に対して当該端末受信パケットを再送するよう要求することになる。
具体的には、中継器１３は、例えば、基地局１１から送信された端末受信パケットの誤りを検出した時点で、基地局１１に対して当該端末受信パケットを再送するよう要求したり、基地局１１から送信された端末受信パケットの誤りを検出して、端末１５から当該端末受信パケットの送信を中継するよう要求する中継要求パケットが送信された時点で、基地局１１に対して当該端末受信パケットを再送するよう要求したりする。
第２の実施の形態、変形例１及び変形例２においても同様である。
【０２１１】
なお、第１の実施の形態において、中継器１３は、基地局１１と中継器１３との間の通信における中継器１３側の受信状態に基づく通信状態情報に基づいて、基地局１１に対して送信される端末送信パケットの送信電力を制御したり、基地局１１と中継器１３との間の通信における中継器１３側の受信状態に基づく通信状態情報を基地局１１に対して送信したり、基地局１１と中継器１３との間の通信における中継器１３側の受信状態に基づく通信状態情報に基づいて、基地局１１における端末送信パケットの送信電力を決定したりしても良い。
すなわち、第１の実施の形態においては、基地局１１と端末１５との間の通信における端末１５側の通信状態に基づく通信状態情報に基づいて、基地局１１における端末送信パケットの送信電力を制御するようにしたが、基地局１１と中継器１３との間の通信における中継器１３側の受信状態に基づく通信状態情報に基づいて、基地局１１における端末送信パケットの送信電力を制御するようにしても良い。
第２の実施の形態、変形例１及び変形例２においても同様である。
【０２１２】
また、第１の実施の形態においては、基地局１１と端末１５との間の通信における端末１５側の受信状態に基づく通信状態情報に基づいて、基地局１１における端末送信パケットの送信電力を制御するか、或いは、基地局１１と中継器１３との間の通信における中継器１３側の受信状態に基づく通信状態情報に基づいて、基地局１１における端末送信パケットの送信電力を制御するか、を選択できるようにしても良い。
すなわち、基地局１１における端末送信パケットの送信電力を制御する際に基づく情報として、基地局１１と端末１５との間の通信における端末１５側の受信状態に基づく通信状態情報と、基地局１１と中継器１３との間の通信における中継器１３側の受信状態に基づく通信状態情報と、を使い分けるようにしても良い。
何れの通信情報を使うかは、例えば、端末１５に対する端末受信パケットの伝送速度や誤りが最小化される方を使用する等の所定の基準を用いて判定しても良いし、中継器１３側及び端末１５側の受信状態（受信電力）や、中継器１３側の受信電力と端末１５側の受信電力との差などに基づいて判定しても良い。
また、何れの通信状態情報を使うかは、中継器１３のＣＰＵ１４２１が判定しても良いし、端末１５のＣＰＵ１６０１が判定しても良い。
第２の実施の形態、変形例１及び変形例２においても同様である。
【０２１３】
なお、第１の実施の形態において、基地局１１は、受信したパケットの送信電力に応じて、送信するパケットの送信電力の制御及び／又は端末受信パケットを送信するサブキャリアの選択を行うセルラー基地局であっても良いし、受信した通信状態情報に基づいて、送信するパケットの送信電力の制御及び／又は端末受信パケットを送信するサブキャリアの選択を行うセルラー基地局であっても良いし、受信した送信電力情報に基づく送信電力でパケットが送信されるよう、送信するパケットの送信電力の制御及び／又は端末受信パケットを送信するサブキャリアの選択を行うセルラー基地局であっても良い。
ここで、端末受信パケットを送信するサブキャリアの選択とは、端末受信パケットの送信するための複数のサブキャリアの中から、状態が良好なサブキャリアを選択することである。
第２の実施の形態、変形例１及び変形例２においても同様である。
【０２１４】
なお、第１の実施の形態において、無線通信システム１０００における基地局１１と端末１５との間の通信の方式として、基地局１１から端末１５に対して送信される下り信号が、端末１５により直接受信され、端末１５から基地局１１に対して送信される上り信号が、中継器１３により中継される、上下非対称型の中継方式を用いたが、この上下非対称型の中継方式と、当該下り信号と当該上り信号との両方が中継器１３により中継される上下対称型の中継方式と、を切り替えて用いるようにしても良い。
上下非対称型の中継方式と上下対称型の中継方式との切り替えは、例えば、中継器１３のＣＰＵ１４１や端末１５のＣＰＵ１６０１が判断した所定のタイミングで切り替えても良いし、中継器１３や端末１５に所定のスイッチを設けて、ユーザによる当該スイッチの操作に従って切り替えても良い。
第２の実施の形態、変形例１及び変形例２においても同様である。
【０２１５】
なお、第１の実施の形態において、中継器１３は、端末１５の機能を有していても良いし、端末１５は、中継器１３の機能を有していても良い。すなわち、無線通信システム１０００は、基地局１１と、中継器１３と、端末１５と、を備えるよう構成したが、例えば、基地局１１と、中継器１３の機能及び端末１５の機能を有する第１端末と、中継器１３の機能及び端末１５の機能を有する第２端末と、を備えるよう構成しても良い。
第２の実施の形態、変形例１及び変形例２においても同様である。
【図面の簡単な説明】
【０２１６】
【図１】第１の実施の形態の無線通信システムの機能的構成を示すブロック図である。
【図２】第１の実施の形態の中継器の機能的構成を示すブロック図である。
【図３】第１の実施の形態の中継器における処理及びデータ（パケット）の流れを示す図である。
【図４】第１の実施の形態の端末の機能的構成を示すブロック図である。
【図５】第１の実施の形態の端末における処理及びデータ（パケット）の流れを示す図である。
【図６】第１の実施の形態の無線通信システムにおける、基地局から送信される端末受信パケットの送信電力の制御に関する処理について説明するためのフローチャートである。
【図７】第１の実施の形態の無線通信システムにおける、端末による端末受信パケットの中継に関する処理を説明するためのフローチャートである。
【図８】第１の実施の形態の無線通信システムにおける、中継器による端末受信パケットの中継に関する処理を説明するためのフローチャートである。
【図９】第２の実施の形態の無線通信システムの機能的構成を示すブロック図である。
【図１０】第２の実施の形態の中継器の機能的構成を示すブロック図である。
【図１１】第２の実施の形態の中継器における処理及びデータ（パケット）の流れを示す図である。
【図１２】第２の実施の形態の端末の機能的構成を示すブロック図である。
【図１３】第２の実施の形態の端末における処理及びデータ（パケット）の流れを示す図である。
【図１４】第２の実施の形態の無線通信システムにおける、端末による端末受信パケットの中継に関する処理を説明するためのフローチャートである。
【図１５】第２の実施の形態の無線通信システムにおける、中継器による端末受信パケットの中継に関する処理を説明するためのフローチャートである。
【図１６】変形例１の中継器の機能的構成を示すブロック図である。
【図１７】変形例２の中継器の機能的構成を示すブロック図である。
【符号の説明】
【０２１７】
１１  基地局
１３，１３Ａ，２３  中継器
１５，１５Ａ，２５  端末
１３１  セルラー送受分離部（中継器側セルラー通信手段）
１３２  セルラー受信部（中継器側セルラー通信手段）
１３６  ＬＡＮ送信部（中継器側無線ＬＡＮ通信手段）
１３７  ＬＡＮ送受分離部（中継器側無線ＬＡＮ通信手段）
１３８  ＬＡＮ受信部（中継器側無線ＬＡＮ通信手段）
１４１  セルラー送信部（中継器側セルラー通信手段）
１４３Ａ  送信部（中継器側通信手段）
１４４Ａ  送受分離部（中継器側通信手段）
１４５Ａ  受信部（中継器側通信手段）
１４２１  ＣＰＵ（端末受信パケット中継手段、第２端末送信パケット送信制御手段、第２通信状態情報送信制御手段、決定手段、送信電力情報送信制御手段、中継器側切替手段）
１４２４ｂ  端末受信パケット中継プログラム（端末受信パケット中継手段）
１４２４ｃ  第２端末送信パケット送信制御プログラム（第２端末送信パケット送信制御手段）
１４２４ｄ  第２通信状態情報送信制御プログラム（第２通信状態情報送信制御手段）
１４２４ｅ  決定プログラム（決定手段）
１４２４ｆ  送信電力情報送信制御プログラム（送信電力情報送信制御手段）
１４２４ｇＡ  切替プログラム（中継器側切替手段）
２４２４ｂ  端末受信パケット中継プログラム（端末受信パケット中継手段）
１５１  セルラー送受分離部（端末側セルラー通信手段）
１５２  セルラー受信部（端末側セルラー通信手段）
１５５  ＬＡＮ送信部（端末側無線ＬＡＮ通信手段、端末側通信手段）
１５６  ＬＡＮ送受分離部（端末側無線ＬＡＮ通信手段）
１５７  ＬＡＮ受信部（端末側無線ＬＡＮ通信手段）
１６１Ａ  送受分離部（端末側通信手段）
１６２Ａ  受信部（端末側通信手段）
１６０１  ＣＰＵ（検出手段、中継要求情報送信制御手段、第１端末送信パケット送信制御手段、取得手段、通信状態情報送信制御手段、第１通信状態情報送信制御手段、端末側切替手段、中継キャンセル要求情報送信制御手段）
１６０４ａ  検出プログラム（検出手段）
１６０４ｃ  中継要求パケット送信制御プログラム（中継要求情報送信制御手段）
１６０４ｅ  第１端末送信パケット送信制御プログラム（第１端末送信パケット送信制御手段）
１６０４ｇ  取得プログラム（取得手段）
１６０４ｈ  第１通信状態情報送信制御プログラム（通信状態情報送信制御手段、第１通信状態情報送信制御手段）
１６０４ｉＡ  切替プログラム（端末側切替手段）
２６０４ｃ  中継キャンセル要求パケット送信制御プログラム（中継キャンセル要求情報送信制御手段）
１０００，２０００  無線通信システム
【図１】
2009188852.tif 000003
【図２】
2009188852.tif 000004
【図３】
2009188852.tif 000005
【図４】
2009188852.tif 000006
【図５】
2009188852.tif 000007
【図６】
2009188852.tif 000008
【図７】
2009188852.tif 000009
【図８】
2009188852.tif 000010
【図９】
2009188852.tif 000011
【図１０】
2009188852.tif 000012
【図１１】
2009188852.tif 000013
【図１２】
2009188852.tif 000014
【図１３】
2009188852.tif 000015
【図１４】
2009188852.tif 000016
【図１５】
2009188852.tif 000017
【図１６】
2009188852.tif 000018
【図１７】
2009188852.tif 000019